(57)【特許請求の範囲】
【請求項１】
ターゲットに光源からの測定光を視線に沿って集光させる光学アセンブリであって、
レンズ、
走査反射器及び
固定反射器を有し、前記レンズ、前記走査反射器、前記固定反射器は、前記光源からのビームが前記走査反射器によって前記固定反射器へと反射され、前記固定反射器からの反射光が前記走査反射器によって再び反射されて前記レンズを通して前記視線に沿って方向が付けられるように位置付けられ、
前記走査反射器は前記ビームの焦点を前記視線に沿って調整するために前記光源、前記レンズ及び前記固定反射器に対して相対的に移動可能である光学アセンブリと、
前記ターゲットから反射する測定光と、前記ターゲットを経由しない参照光とを検出する検出部と、
前記検出部からの信号を用いて、前記ターゲットまでの距離を演算する演算部と、を備え、
前記参照光の光路には前記光学アセンブリが配置され、前記走査反射器の走査に伴い前記測定光の光路長の変化に応じて、前記参照光の光路長が変化する、距離測定装置。
【請求項２】
前記走査反射器がレトロリフレクターを含む請求項１に記載の距離測定装置。
【請求項３】
前記レトロリフレクターはコーナーキューブである、請求項２に記載の距離測定装置。
【請求項４】
前記光源からの光は、前記光学アセンブリを介して、ターゲットに測定光として照射するとともに、前記光学アセンブリを介した前記光源からの光の一部を反射することで、前記参照光とする、請求項１〜３のいずれか一項に記載の距離測定装置。
【請求項５】
前記光学アセンブリは、前記レンズの少なくとも一部で前記光源からの光を反射することで、前記参照光とする、請求項４に記載の距離測定装置。  
【請求項６】
前記光源からのビームが前記走査反射器によって前記固定反射器へ反射され、前記固定反射器からの反射光が前記走査反射器によって再び反射されて前記レンズを通して、前記ターゲットに照射され、前記ターゲットから反射する光は前記レンズを通り、前記走査反射によって前記固定反射器に反射され、前記固定反射器からの反射光が前記走査反射器によってふたたび反射された光を前記測定光とし、
前記測定光と同じ回数前記走査反射器と前記固定反射器により反射された光を前記参照光とし、
前記測定光と前記参照光とを前記検出部で検出し、前記演算部で前記ターゲットまでの距離を演算する、請求項１〜５のいずれか一項に記載の距離測定装置。
【請求項７】
前記光源からの光を、光ファイバを用いて、前記走査反射器に導く、請求項１〜６のいずれか一項に記載の距離測定装置。
【請求項８】
ターゲットまでの距離を測定する、距離測定装置であって、
前記ターゲットに測定光を送る送光光学系と、
前記ターゲットから反射する測定光と、前記ターゲットを経由しない参照光とを検出する検出部と、
前記検出部からの信号を用いて、前記ターゲットまでの距離を演算する演算部と、
前記送光光学系の測定光の光路に配置され、前記測定光の焦点位置を変える第１光路長変更光学部材と、
前記参照光の光路に配置され、前記測定光の焦点位置を変えることによる前記測定光の光路長の変化に応じて、前記参照光の光路長を変える、第２光路長変更光学部材と、を備える、距離測定装置。
【請求項９】
前記第１、第２光路長変更部材は、同じ部材である、請求項８に記載の距離測定装置。
【請求項１０】
前記第１光路長部材は、走査反射器と固定反射器を含み、前記固定反射器に対して前記走査反射器が動くことで、前記視線に沿って、前記ターゲットに送られる測定光の焦点位置を変える焦点位置変更光学部材である請求項９に記載の距離測定装置。
【請求項１１】
前記走査反射器がレトロリフレクターを含む、請求項１０に記載の距離測定装置。
【請求項１２】
前記レトロリフレクターはコーナーキューブである、請求項１１に記載の距離測定装置。
【請求項１３】
前記走査反射器に導入される測定光は、光ファイバを用いる、請求項１０〜１２のいずれか一項に記載の距離測定装置。
【請求項１４】
前記走査反射器によって前記固定反射器へ反射され、前記固定反射器からの反射光が前記走査反射器によって再び反射されて前記レンズを通して、前記ターゲットに照射され、前記ターゲットから反射する光は前記レンズを通り、前記走査反射によって前記固定反射器に反射され、前記固定反射器からの反射光が前記走査反射器によってふたたび反射された光を前記測定光とし、
前記測定光と同じ回数前記走査反射器と前記固定反射器により反射された光を前記参照光とし、
前記測定光と前記参照光とを前記検出部で検出し、前記演算部で前記ターゲットまでの距離を演算する、請求項１〜５のいずれか一項に記載の距離測定装置。
【請求項１５】
ターゲットに光源からの測定光を視線に沿って集光させる光学アセンブリであって、
レンズ、
走査反射器及び
固定反射器を有し、前記レンズ、前記走査反射器、前記固定反射器は、前記光源からのビームが前記走査反射器によって前記固定反射器へと反射され、前記固定反射器からの反射光が前記走査反射器によって再び反射されて前記レンズを通して前記視線に沿って方向が付けられるように位置付けられ、
前記走査反射器は前記ビームの焦点を前記視線に沿って調整するために前記光源、前記レンズ及び前記固定反射器に対して相対的に移動可能である光学アセンブリを用意することと、
前記ターゲットから反射する測定光と、前記ターゲットを経由しない参照光とを検出することと、
前記検出部からの信号を用いて、前記ターゲットまでの距離を演算することと、
前記参照光の光路に前記光学アセンブリを配置して、前記走査反射器の走査に伴い前記測定光の光路長の変化に応じて、前記参照光の光路長が変化させることと、を備える距離測定方法。
【請求項１６】
ターゲットまでの距離を測定する距離測定方法であって、
前記ターゲットに測定光を送ることと、
前記ターゲットから反射する測定光と、前記ターゲットを経由しない参照光とを検出することと、
前記検出された信号を用いて、前記ターゲットまでの距離を演算することと、
前記測定光の光路に第１光路長変更光学部材を配置して、前記測定光の焦点位置を変えることと、
前記参照光の光路に第２光路長変更光学部材を配置して、前記測定光の焦点位置を変えることによる前記測定光の光路長の変化に応じて、前記参照光の光路長を変えることと、を備える距離測定方法。
【請求項１７】
構造体を製造する方法であって、
設計情報に基づいて構造体を製造することと、
請求項１５又は１６の距離測定方法もしくは請求項１〜１４のいずれか一項に記載の距離測定装置を用いることによって、構造体の形状情報を得ることと、 
前記得られた形状情報を前記設計情報と比較することとを含む、構造体を製造する方法。
【請求項１８】
さらに、前記構造体を前記比較の結果に基づいて再処理することを含む、請求項１７に記載の構造体を製造する方法。
【請求項１９】
前記構造体の再処理が前記構造体をもう一度製造することを含む、請求項１８に記載の構造体を製造する方法。
【発明の詳細な説明】
【技術分野】
【０００１】
発明者：スミス、ダニエル・ジーン
関連出願の参照情報及び優先権の主張：本願は、２０１１年１２月２３日に出願された「集積光学アセンブリの改良」と題された仮特許出願第６１／５８０，１１８号に関連し、該仮特許出願の優先権を主張する。上記仮出願の開示全てをここに援用して本文の記載の一部とする。
【０００２】
＜導入説明及び発明の概要＞
本発明によって、光源からのビーム（光線）を視線に沿って集光させるための光学アセンブリ及びそのような光学アセンブリにおいて有用なデータを生成する方法が提供される。本発明の光学アセンブリ及び方法は、米国特許出願第１３／２８１，３９３号に示されたタイプのレーザーレーダーシステムにおいて記載されたタイプの集積光学アセンブリ（ＩＯＡ：Ｉｎｔｅｇｒａｔｅｄ  Ｏｐｔｉｃａｌ  Ａｓｓｅｍｂｌｙ）において特に有用であり、この米国特許出願第１３／２８１，３９３号の開示全てをここに援用して本文の記載の一部とする。
【背景技術】
【０００３】
上述のＩＯＡにおいて、光源（例えば、光源は光学ファイバーチップを通して生成される、光ファイバーチップが光源とみなすことができる。）からの測定ビームは、レンズ、走査反射器（例えば、調整可能なコーナーキューブ）及び固定反射器であって、光源からのビームが走査反射器によって固定反射器へと反射されるとともに該固定反射器から反射された光が該走査反射器によって再び反射されてレンズを通して視線に沿って方向付けられるように互いに相対的に方位（向き）が付けられたレンズ、走査反射器及び固定反射器によって、視線に沿って方向付けられる。この測定ビームはターゲットに向かって方向が付けられており、ターゲットからの戻り光（例えば、ターゲットから反射されるか又は散乱された測定ビーム）は光源として機能する光学ファイバーに向けて方向付けられて、ターゲットに関するデータを生成するために検出され処理される。走査反射器はビームの焦点を視線に沿って調整するために、光源、レンズ及び固定反射器に対して相対的に移動可能である。それゆえに、走査反射器はまた「調整可能な反射器」とも称され、本発明において好ましい走査反射器はレトロレフレクターとしても機能するコーナーキューブである（光の方向を変える際に光を反射及び透過するやり方に因る）ので、走査反射器はまた「走査レトロリフレクター」と称されてよい。
【発明の概要】
【発明が解決しようとする課題】
【０００４】
本発明によれば、集積光学アセンブリは走査反射器の光学特性に関連するか又は光源に対する走査反射器の相対的な位置もしくは相対的な方位の変化に関連した参照ビームを生成する。このような参照ビームは提出物Ａに示されたタイプのＩＯＡにおいて、いくつかの点において有用である。例えば、もしも走査反射器の方位が意図された方位からシフトする場合に（例えば、熱膨張などに起因して）、又は、もしも走査反射器の特性（例えば、走査反射器の屈折率）が温度変化のために変化する場合に、参照ビームを使用することによって、そのような変化の原因を明らかにするために使用可能なデータが提供出来る。さらに、もしも走査反射器が所望される方位と異なる方位が付けられて位置付けられた場合に、そのような位置付けを特定及び補正するために参照ビームを用いることが出来る。本質的に、参照ビームは上述の要因によって発生した可能性のあるエラーを除去するために用いることが出来る。
【課題を解決するための手段】
【０００５】
本発明は、ＩＯＡのいくつかの実施態様であって、ＩＯＡがそれによって参照ビームを生成できるいくつかの実施態様を提供する。例えば、光学アセンブリは光源と走査反射器との間に配置されたレンズであって、走査反射器を少なくとも２回横切り、次いで光源に再び集光される連続的な平行参照ビームを生成するように構成されたレンズを含むことが出来る。レンズはビームを光源から若干の角度を付けて平行にするように光源に対して偏心しており、光学アセンブリはさらに、走査反射器を２回通過した後の参照信号が光源に隣接する反射器に再び集光され、走査反射器をさらに２回横切り、次いで光源に再び集光するように構成される。
【０００６】
本発明の別の実施態様によると、測定ビーム及び参照ビームは、一対のファイバーを介して生成された測定ビーム及び参照ビームが事実上「光源」を備えるように（及び、これらの測定及び参照ビームが共に、測定及び参照ビームに分割される同じ光源から発生するように）、一対のファイバーを介して方向が付けられる。一対のファイバーのうちの一方のファイバーから生成された測定ビームは折り返しミラーによって反射され、走査レトロリフレクター（コーナーキューブ）を横切り、固定反射器によって反射され、走査レトロリフレクターを再び横切り、そしてレンズを通して視線に沿って方向が付けられる。一対のファイバーのうちの他方のファイバーから生成された参照ビームは折り返しミラーによって反射され、走査レトロリフレクターを横切り、プリズム又は参照ビームをシフトさせるその他の好適な光学素子によって反射され、走査レトロリフレクターを再び横切り、軸上の参照ビームを走査レトロリフレクターに反射し返す小型の固定レトロリフレクターによって反射されて走査レトロリフレクターを再び横切り、次いで、参照ビームのためのファイバーに戻って到達する前にもう一度ビームが走査レトロリフレクターを横切るように、前の工程においてビームをシフトさせるために用いられたプリズム又はその他の好適な光学素子によって反射される。それゆえに、参照ビームは走査レトロリフレクターを少なくとも２回（この場合においては４回）横切り、次いで光源（この場合においてはすなわち参照ビームのファイバー）に再び集光される平行参照信号である。
【発明の効果】
【０００７】
本発明のさらなる特徴は下記の詳細な説明及び添付の図面から、さらに明らかになるであろう。
【図面の簡単な説明】
【０００８】
【図１】図１は提出物Ａに示されたタイプのＩＯＡの模式図である。
【図２】図２ａは本発明に従う、提出物ＡのＩＯＡに対する改良の一つのバージョンの模式図である。図２ｂは図２ａの一部の拡大図である。
【図３】図３は、図２ａ、図２ｂのバージョンにおいて用いることが出来る、ビーム経路（及びそのいくつかの変形形態）の模式図である。
【図４】図４は本発明に従う方法の工程の模式図である。
【図５】図５は本発明に従う光学アセンブリを有するＩＯＡが備えられたレーザーレーダーシステムの模式図である。
【図６】図６は好ましいタイプのレーザーレーダーシステムの正面図である。
【図７】図７は本発明を実施する光学アセンブリの代替的な構成の模式図である。
【図８】図８は本発明を実施する光学アセンブリの代替的な構成の模式図である。
【図９】図９は本発明を実施する光学アセンブリの代替的な構成の模式図である。
【図１０】図１０は構造体製造システム７００のブロック図である。
【図１１】図１１は、構造体製造システム７００のプロセスフローを示すフローチャートである。
【図１２】図１２は、関連発明の実施形態に従う光学アセンブリを用いることができるタイプのレーザーレーダーシステムの概略図面である。
【図１３】図１３は、関連発明の好ましいタイプの実施形態に従う光学アセンブリを用いることができるレーザーレーダーシステムの正面図である。
【図１４】図１４ａ、１４ｂ、１４ｃは、関連発明の第１実施形態に従う光学アセンブリの異なるバージョンの例である。
【図１５】図１５は、関連発明の第１実施形態に従う光学アセンブリの他の例の反射屈折部を示す。
【図１６】図１６は、関連発明の第１実施形態に従う光学アセンブリの特定の性能を示す。
【図１７】図１７は、関連発明の第１実施形態に従う光学アセンブリのさらなる性能を示す。
【図１８】図１８ａは、関連発明の第２実施形態に従う光学アセンブリのあるバージョンの概略図である。図１８ｂは、図１８ａの光学アセンブリの断片的な概略図であり、コーナーキューブ及び平面鏡によりもたらされる反射の図式を示す。
【図１９】図１９ａ及び図１９ｂは、関連発明の第２実施形態に従う光学アセンブリの第２のバージョンの概略側面及び上面図である。図１９ｃは、図１９ａ及び図１９ｂの光学アセンブリの断片的な概略図であり、それらの構成部品の反射ルーフによりもたらされる反射の図式を示す。
【図２０】図２０は、関連発明の第２実施形態に従う光学アセンブリのさらなるコンセプトの概略図である。
【図２１】図２１は、関連発明の第２実施形態に従う光学アセンブリのさらなるコンセプトの概略図である。
【図２２】図２２は、関連発明の第２実施形態に従う光学アセンブリのさらなるコンセプトの概略図である。
【図２３】図２３は、関連発明の第２実施形態に従う光学アセンブリのさらなるコンセプトの概略図である。
【図２４】図２４は、関連発明の第２実施形態に従う光学アセンブリのさらなるコンセプトの概略図である。
【図２５】図２５は、関連発明の構造体製造システム７００のブロック図である。
【図２６】図２６は、関連発明の構造体製造システム７００のプロセスフローを示すフローチャートである。
【発明を実施するための形態】
【０００９】
前述のように、本発明は、後述の関連発明に関する説明に記載されたタイプのレーザーレーダーシステムのための集積光学アセンブリ（ＩＯＡ）について特に有用な、ＩＯＡに対する改良及び方法を提供するものである。本文に記載された本発明は後述の関連発明に関する説明に示されたタイプのＩＯＡと関連して記載され、本発明が後述の関連発明に関する説明に記載のＩＯＡと互換性のある様々な装置と提携して使用可能なやり方は、本発明の記載から当業者にとって明らかとなるであろう。
【００１０】
本発明に従うＩＯＡの改良は、後述の関連発明に関する説明に記載されたレーザーレーダーシステム及び方法において特に有用である。後述の関連発明に関する説明において説明されているように、レーザーレーダーは非接触であって、且つ、真に単独の操作者による物体（しばしばターゲットと称される）の検査を提供する、多用途の計測システムである。レーザーレーダー計測は、航空宇宙産業、代替エネルギー、アンテナ、人工衛星、標準より大きい鋳造及び他の大型の用途などの多様な産業における高品質の物体検査データの取得に特に有用な物体検査を提供する。レーザーレーダーは、例えば、構造体を製造するために用いることが出来、設計情報に基づいて構造体を形成することと、レーザーレーダーを用いることによって構造体の形状情報を得ることと、製造された構造体を配置することによって構造体の形状情報を得ることと、得られた形状情報を設計情報と比較することとを含む。 
【００１１】
後述の関連発明に関する説明及び図５、図６のレーザーレーダーシステム及び方法において、集積光学アセンブリ（ＩＯＡ）はレーザーレーダーシステム２００の一部として提供されている。ＩＯＡは小型になるように、且つ、指向ビーム（ポインティングビーム）及び測定ビームを光学レーダーシステムの出口に向けて方向付け且つ集光させるための素子を比較的単純に組み立てたものを利用するように設計される。ポインティングビーム及び測定ビームの「光源」は、光源によって生成された光が光学ファイバーを通して方向が付けられるという意味において、光学ファイバーを備える。ポインティングビームは可視（例えば約６１０ｎｍから７５０ｎｍのような赤色）波長範囲内で生成され、測定ビームは異なる所定の波長（例えば約０．７μｍから１０μｍなどの赤外光、つまりＩＲ）範囲内で生成される。
【００１２】
図５のレーザーレーダーシステムにおいて、ポインティングビームは、測定ビームが向けられるターゲット２２０上の点（位置）を識別するために用いられる。測定ビームはターゲットから反射され、その反射または散乱された測定ビームの一部分がレーザーレーダーシステムに戻って受光され、該レーザーレーダーシステム内においてはファイバーを通して方向付けられて戻され、検出器に伝達され、制御ユニットによって処理されてレーザーレーダーシステムの特性である有用なタイプの情報をもたらす。
【００１３】
図６に示されるように、レーザーレーダーシステム２００は、光学アセンブリが設置、固定されるハウジング（例えば回転可能シリンダ１１３）を含む。それにより光学アセンブリはシリンダ１１３と一体として、レーザーレーダーシステムの基部１１０に対して相対的に移動する。レーザーレーダーシステムは、ハウジング１１３において出口１２０を含み、出口１２０を通して放射（例えば２つの波長のポインティングビーム及び測定ビーム）がレーザーレーダーシステムから方向付けられる。基部１１０は、米国特許第４,７３３,６０９号、第４，８２４,２５１号、第４,８３０，４８６号、第４,９６９，７３６号、第５,１１４，２２６号、第７,１３９，４４６号、第７,９２５，１３４号及び日本特許第２,６６４,３９９号に開示されるレーザーレーダーシステムの処理性能を含む。このシステムのサイズは、カメラ１４０がレーザーレーダーシステムの移動部分に設置されるように十分小さく設計されるべきである。
【００１４】
さらに別のレーザーレーダーシステムのコンセプトは、レーザーレーダーシステムの他の部品に対して相対的に回転し且つビームの所望される方向を達成するために用いられる、回転走査（ポインティング）ミラーを有する。レーザーレーダーシステムのその他のコンセプトは、米国特許第４,７３３,６０９号、第４，８２４,２５１号、第４,８３０，４８６号、第４,９６９，７３６号、第５,１１４，２２６号、第７,１３９，４４６号、第７,９２５，１３４号及び日本特許第２,６６４,３９９号に開示されており、これらの米国特許及び日本特許の開示全てをここに援用して本文の記載の一部とする。レーザーレーダーシステムからのレーザービーム（ここでは「測定ビーム」として称される）はレーザーレーダーシステムの光学系によって制御され、レーザーレーダーシステムからターゲットに向けて方向が付けられる。 
【００１５】
図１は図２３に示されたＩＯＡの模式図である。このＩＯＡにおいて、光源（すなわち、ガラス窓１０１内のフェルール１０２に支持されたファイバーチップ１００）からのビームは、レンズ１０４、走査反射器１０６（例えば、コーナーキューブ）及び固定反射器（ガラス窓１０１上に支持されるミラー１０８）であって、光源１００からのビームが走査反射器１０６によって固定反射器１０８へと反射され、そして固定反射器からの反射光が走査反射器によって再び反射され、レンズ１０４を通して視線１３８に沿って方向付けられるように、互いに対して方位が付けられているレンズ１０４、走査反射器１０６及び固定反射器によって視線１３８に沿って方向が付けられている。走査反射器１０６は、視線１３８に沿ってビームの焦点を調整するために、光源１００、レンズ１０４及び固定反射器１０８に対して相対移動可能である。
【００１６】
本発明によってもたらされる改良に従い、集積光学アセンブリは走査反射器１０６の光学特性又は走査反射器１０６の光源（すなわち、ファイバーチップ１００）に対する位置もしくは方位の変化に関連する参照ビームを生成するよう構成されている。この参照ビームは後述の関連発明に関する説明及び図１に示されたタイプのＩＯＡにおいていくつかの点で有用である。例えば、もしも走査反射器１０６の方位が意図された方位からシフトする場合に（例えば、熱膨張などに起因して）、又は、もしも走査反射器の特性（例えば、走査反射器の屈折率）が温度変化のために変化する場合に、参照ビーム（図５に示されている検出器によって検出されるとともに図５に示されている制御ユニットによって処理される参照ビーム）を使用することによって、そのような変化の原因を明らかにするために使用可能なデータが提供出来る。加えて、もしも走査反射器１０６が所望される方位と異なる方位を付けられて位置付けられる場合に、そのような位置付けを特定及び補正するために参照ビームを用いることが出来る。本質的に、参照ビームは上述の要因によって発生した可能性のあるエラーを除去するために用いることが出来る。
【００１７】
図２ａ及び図２ｂは上記のような参照信号を生成するように構成された、本発明に従うＩＯＡの一つのバージョンを示す。この光学アセンブリは、光源１００と走査反射器１０６との間に配置されたレンズ１１０であって、走査反射器１０６を少なくとも２回横切り、次いで光源１００に再び集光される連続的な平行参照信号を生成するように構成されたレンズ１１０を含んでいる。レンズ１１０は光源１００に対して偏心配置されて、ビームを光源に対して若干の角度を付けて平行にするとともに、光学アセンブリは、参照信号が２回走査反射器を横切った後、参照信号は光源１００に隣接する反射器１１２（例えば、窓、フェルールなど）に再度集光され、走査反射器１０６をさらに２回横切り、次いで光源１００に再度集光されるように構成されている。
【００１８】
このバージョンの基礎をなす原則は、偏心レンズ１１０を用いることによって、ビームを一回通過させた後にファイバーチップ１００の隣にある反射器１１２に再度集光させるために、ビームをファイバーの軸に対して若干の角度を付けて平行にする（及び、ミラーを垂直に戻す）というものである。上記の反射後、ビームはコーナーキューブシステムを２度目に横切って、次いで参照ビームとしてファイバーチップ１００に集光される。この集光は自動的に起こるものであり、単なる結像システムの特性である。したがって、面倒な配置は特に何ら必要とされない。
【００１９】
図２ａ及び図２ｂに示された本発明のこのバージョンによると、安定し且つ高感度な参照ビームが、複光路平行参照ビーム経路による集光範囲全体にわたってもたらされ、参照ビームは走査反射器を４回横切る。図２ａ及び図２ｂにおいて、レンズ１１０の偏心は視覚化のために幾分誇張して描かれている。環状の反射領域１１０ａ、１１０ｂをレンズ１１０に設けて（図３）、測定ビームによって用いられるパワーを制限することなくゴースト効率を高めることも可能である。さらに、レンズ１１０は窓１０１（又はミラー１０８）に切り込まれた凹部に直接搭載することも可能であろうし、必要とされる偏心も含むことも可能であろう。図２ａに示された別の変形例は、反射性のフェルール１１２を用いるか、又は、レンズをより小型にすることが可能であろうから、反射器をファイバーチップ１１０に対してきわめて接近配置するものである。
【００２０】
図２ａ、２ｂ及び図３に模式的に示されているように、２回通過させる構成によって、範囲測定の補償に必要とされる感度が正しい量で達成される。平行参照ビームによって、全ての範囲においてシステムをハイパワーに維持することが可能となる。平行ビームを生成するレンズ１１０又はいかなるその他の光学素子は、同時に非平行測定ビームが通過することをも許容しなければならない。このことは、フレネルゾーンプレート又はその他のホログラフィックレンズによっても達成出来るが、別の取り組みとして、平行ゴースト反射をも有するゼロパワーレンズ（図３）を用いるというものがある。そのようなレンズは、２回屈折経路に対して何らパワーを有さないように設計されているが、ゴースト経路と称される２回反射経路は、有限の焦点距離によって平行となる。
【００２１】
環状の反射領域１１０ａ、１１０ｂをレンズ１１０に設けて（図３）、測定ビームによって用いられるパワーを制限することなくゴースト効率を高めることも可能である。その結果、環状の参照ビームが得られる。さらに、レンズを窓（又はミラー）に切り込まれた凹部に直接搭載することも可能であろうし、必要とされる偏心も含むことも可能であろう。これによって、反射性のフェルール１１２、及び反射器をファイバーチップ１１０に極めて接近配置するためのその他の方法は、これによってレンズをより小型にすることが可能となるために魅力的なものとなる。
【００２２】
リターンミラーに対して実質的に平行な（完璧に平行である必要は無いが）窓をファイバーチップ１００に接近させて有することで、結果として、この経路を一つの焦点位置で参照信号を生成するために用いることが可能となる。 
【００２３】
図４に模式的に示されているように、本発明に従う方法において、光学アセンブリは光源からのビームが走査反射器によって固定反射器へと反射され、固定反射器からの反射光が走査反射器によって再び反射されてレンズを通して視線に沿って方向が付けられるように互いに向き（方位）が付けられたレンズ、走査反射器及び固定反射器を含み、走査反射器は、ビームの焦点を視線に沿って調整するために光源、レンズ及び固定反射器に対して相対的に移動可能である。光学アセンブリは測定ビームをターゲットに向け、戻り光は検出器に伝達されて制御ユニットによって処理される一方で、走査反射器の光源に対する相対的な方位に関する参照ビームが生成される。この参照ビームは、後述の関連発明に関する説明及び図１に示されたタイプのＩＯＡにおいていくつかの点で有用である。例えば、仮に走査反射器の方位が意図された方位から（例えば、熱膨張などに起因して）シフトするか、又は仮に走査反射器の特性（例えば、走査反射器の屈折率など）が温度変化のために変化する場合に、参照ビームを使用することによって、そのような変化の原因を明らかにするために使用可能なデータが提供出来る。さらに、もしも走査反射器が所望される方位と異なる方位が付けられて位置付けられた場合に、そのような位置付けを特定及び補正するために参照ビームを用いることが出来る。本質的に、参照ビームは上述の要因によって発生した可能性のあるエラーを除去するために用いることが出来る。
【００２４】
従って、走査反射器の反射特性又は屈折特性が、（１）走査反射器の意図された方位の変化、又は（２）走査反射器の方位角の変化、走査反射器の温度変化、に起因して変化した原因を明らかにするためのデータを生成するために参照ビームを用いることが出来る。
【００２５】
この方法は例えば、走査反射器と光源との間に、走査反射器を少なくとも１回横切る（そして好ましくは図２ａ、２ｂに示されているように４回横切る）とともに、次いで光源に再度集光される連続的な平行参照信号を生成することによって実施出来る。図２ａ、２ｂに示されているように、ビームは光源に対して若干の角度を付けて平行にされており、光学アセンブリは、参照ビームが走査反射器を２回横切った後、参照ビームは光源に隣接した反射器に再度集光され、次いで隣接反射器によって反射された後に、ビームは走査反射器を３回目及び４回目としてさらに横切って、その後光源に再度集光されるように構成されている（例えば、図２ａ、２ｂ参照）。
【００２６】
本発明の方法は、図７〜９に模式的に示されたやり方によっても実施出来る。図７はその実施の主要な構成要素を模式的に示している。図８はその実施の測定ビームの経路を示している。図９はその実施の参照ビームの経路を示している。図７〜９の実施において、測定ビーム及び参照ビームはそれぞれチップ２００ａ及びチップ２００ｂを有するファイバー対を通して方向付けられている。それゆえに、ファイバー対を通して方向が付けられている測定ビーム及び参照ビームは事実上「光源」を備えている（そして測定ビーム及び参照ビームは共に同じ光源から発せられることが出来、この同じ光源は測定ビームと参照ビームとに分割される）。図７及び図８から分かるように、ファイバーチップ２００ａからの測定ビームは、折り返しミラー２０４によって反射され、走査レトロリフレクター２０２（移動可能なコーナーキューブであることが好ましい）を横切り、固定反射器２０６によって反射され、走査レトロリフレクター２０２を再び横切り、そして少なくとも一つのレンズ及び反射要素２０８を通して視線に沿って方向が付けられる。それゆえに、測定ビームの経路は図１に示されるとともに図１に関連して記載されたものと同じである。図７及び図９から分かるように、ファイバーチップ２００ｂからの参照ビームは、レンズ２０９を通して方向が付けられ、折り返しミラー２１０によって反射され、走査レトロリフレクター２０２を横切り、プリズム２１２又はその他の参照ビームをシフトさせる好適な光学素子によって反射され、走査レトロリフレクター２０２を再び横切り、軸上の参照ビームを走査レトロリフレクター２０２に反射し返す小型の固定レトロリフレクターに２１４に反射され、その走査レトロリフレクター２０２を再び横切り、次いで、参照ビームのためのファイバーチップ２００ｂに反射し返される。それゆえに参照ビームは、走査レトロリフレクター２０２を少なくとも２回横切り、次いで、光源（この実施形態においては、参照ビームのためのファイバーチップ２００ｂ）に再度集光される、平行参照信号である。
【００２７】
従って、本発明は、レーザーレーダーシステムにおいて特に有用なタイプのＩＯＡに対する改良を提供するものである。本発明による改良は、ＩＯＡ（及び方法）であって、走査反射器の光学特性に関連するか又は光源に対する走査反射器の相対的な位置もしくは相対的な方位の変化に関連した参照ビームを生成するＩＯＡ（及び方法）を提供する。前述の開示を考慮すれば、様々なタイプのＩＯＡアセンブリにおいて実施し得るそのような強化（改良）がなされるやり方は、当業者にとって明らかとなるであろう。
【００２８】
本文に記載されているＩＯＡアセンブリの参照ビーム経路は、走査反射器を少なくとも１回横切らなければならず、そしてすべての場合において、参照ビーム及測定ビームを、それぞれが独自の内部リファレンスを有する、別々の干渉計の測定用のビームとすることが可能である。参照ビームを測定用のビームとして用いる干渉計は、走査反射器の位置によって増大する経路長を有するであろう。この経路長の増大は（参照ビームの）横切る回数の２倍（２ｎｘ）に比例し、この場合において「ｘ」は走査反射器の位置の変化を表し、「ｎ」は横切る回数を表し、横切る回数の最小値は１（１回）である。測定干渉計の経路もまた、走査反射器の位置によって増大するが、因数８ｘで増加する。したがって、走査反射器のシフトに対して、測定経路の変化を（４／ｎ）倍したものを減算することによって測定経路を補償できる。
【００２９】
好ましい実施形態はまた、参照ビームを測定ビームに干渉させて、参照ビームの経路と測定ビームの経路との差異に対する走査反射器の位置の寄与が最小限である干渉計を形成することを参照ビームと測定ビームに許容するものである。これは、参照ビームが例えば図２ａ、２ｂについて記載されたように走査反射器を４回横切る場合にのみ発生する。
【００３０】
開示された実施形態において、測定経路と参照経路は同じコーナーキューブ（１０６、２０２）を使用する。しかしながら、測定経路のコーナーキューブは参照経路のコーナーキューブと異なっていてもよい。したがって、測定経路のコーナーキューブの動きは、測定経路のコーナーキューブの動きと同期してもよい。
【００３１】
次に、上述の測定装置（レーザーレーダーシステム２００）を備える構造体製造システムについて説明する。
【００３２】
図１０は構造体製造システム７００のブロック図である。この構造体製造システムは、少なくとも一つの材料から、例えば船、航空機などの少なくとも一つの構造体を製造し、構造体を形状測定装置２００によって検査するためのものである。実施形態の構造体製造システム７００は、実施形態において上述されたように形状測定装置２００を含み、さらに設計装置６１０、成形装置６２０、制御装置６３０（検査装置）及びリペア装置６４０を含む。制御装置６３０は、座標保管部６３１及び検査部６３２を含む。
【００３３】
設計装置６１０は、構造体の形状に関して設計情報を作成し、作成した設計情報を成形装置６２０へ送信する。さらに、設計装置６１０は、作成した設計情報を制御装置６３０の座標保管部６３１に保管させる。設計情報は、構造体の位置の各々の座標を示す情報を含む。
【００３４】
成形装置６２０は、設計装置６１０から入力された設計情報に基づいて構造体を製造する。成形装置６２０による成形工程は、例えば、鋳造、鍛造、切削などを含む。形状測定装置２００は製造された構造体の座標を測定（物体を測定）し、測定した座標を示す情報（形状情報）を制御装置６３０に送る。
【００３５】
制御装置６３０の座標保管部６３１は、設計情報を保管する。制御装置６３０の検査部６３２は、座標保管部６３１から設計情報を読み出す。検査部６３２は、形状測定装置２００から受信した座標を示す情報（形状情報）を座標保管部６３１から読みだされた設計情報と比較する。比較結果に基づき、検査部６３２は、構造体が設計情報に従って成形されているかどうかを判定する。換言すると、検査部６３２は、製造された構造体に欠陥がないかどうかを判定する。構造体が設計情報に従って成形されていない場合、検査部６３２は、構造体が修復可能かどうかを判断する。もし修復可能な場合は、検査部６３２は、比較結果に基づいて欠陥部分及び修復量を計算し、欠陥部分を示す情報及び修復量を示す情報をリペア装置６４０に送信する。
【００３６】
リペア装置６４０は、制御装置６３０から受信した欠陥部分を示す情報及び修復量を示す情報に基づき、構造体の欠陥部分の処理を行う。
【００３７】
図１１は、構造体製造システム７００のプロセスフローを示すフローチャートである。構造体製造システム７００に関して、まず、設計装置６１０が、構造体の形状に関して設計情報を作成する（Ｓ１０１工程）。次に、成形装置６２０が、設計情報に基づいて構造体を製造する（Ｓ１０２工程）。次いで、形状測定装置１００が、製造された構造体を測定してその形状情報を得る（Ｓ１０３工程）。次いで、制御装置６３０の検査部６３２が、形状測定装置２００から得られる形状情報を設計情報と比較することによって、構造体が真に設計情報に従って製造されているかどうか検査する（Ｓ１０４工程）。
【００３８】
次いで、制御装置６３０の検査部６３２が、製造された構造体に欠陥がないかどうかを判定する（Ｓ１０５工程）。製造された構造体に欠陥がないと検査部６３２が判定した場合（Ｓ１０５工程における「ＹＥＳ」）、構造体製造システム７００はプロセスを終了する。一方、製造された構造体に欠陥があると検査部６３２が判定した場合（Ｓ１０５工程における「ＮＯ」）、次いで検査部６３２は、構造体が修復可能かどうかを判断する（Ｓ１０６工程）。
【００３９】
検査部６３２が製造された構造体が修復可能であると判断した場合（Ｓ１０６工程の「ＹＥＳ」）、次いでリペア装置６４０が構造体に対して再処理プロセスを実行し（Ｓ１０７工程）、構造体製造システム７００はプロセスをＳ１０３工程に戻す。検査部６３２が製造された構造体が修復不可能であると判断した場合（Ｓ１０６工程の「ＮＯ」）、次いで構造体製造システム７００はプロセスを終了する。そうして、構造体製造システム７００は、図１１のフローチャートに示される全プロセスを終了する。
【００４０】
実施形態の構造体製造システム７００に関して、実施形態の形状測定装置２００は構造体の座標を正確に測定することができるため、製造された構造体に欠陥がないかどうかを判断することができる。さらに、構造体に欠陥がある場合、構造体製造システム７００は構造体に対して再処理プロセスを実行して構造体を修復することができる。
【００４１】
さらに、実施形態においてリペア装置６４０によって実行される修復工程は、例えば成形装置６２０に成形工程をもう一度行わせることと置き換えられてもよい。このような場合において、制御装置６３０の検査部６３２が構造体は修復可能と判断した場合、次いで成形装置６２０は成形工程（鍛造、切削など）をもう一度実行する。例えば具体的には、成形装置６２０は、切削を受けるべきであったが受けなかった構造体の部分に切削工程を実行する。これによって、構造体製造システム７００が構造体を正確に製造することができるようになる。
【００４２】
上記の実施形態において、構造体製造システム７００は、形状測定装置２００、設計装置６１０、成形装置６２０、制御装置６３０（検査装置）及びリペア装置６４０を含む。しかし、本教示はこの構成に限定されない。例えば、本教示に従う構造体製造システムは、少なくとも成形装置及び形状測定装置を含めばよい。
【００４３】
よって、本発明は装置、光学アセンブリ、物体の検査方法又は測定方法、及び構造体を製造する方法について、新規で役に立つコンセプトを提供する。前述の説明を考慮すれば、それらのコンセプト（例えば本実施形態の光学アセンブリ）を様々なタイプのレーザーレーダーシステムや他のタイプの光学システム及び方法において実施することができるやり方が、当業者にとって明らかであるだろう。
【００４４】
＜関連発明に関する説明＞
＜関連発明の背景技術＞
レーザーレーダーは、非接触であって、且つ、真に単独の操作者による物体（しばしばターゲットと称される）の検査を提供する、多用途の計測システムである。レーザーレーダー計測は、航空宇宙産業、代替エネルギー、アンテナ、人工衛星、標準より大きい鋳造及び他の大型の用途などの多様な産業における高品質の物体検査データの取得に特に有用な物体検査を提供する。
【００４５】
レーザーレーダーシステムについて知られているコンセプトは、米国特許第４,７３３,６０９号、第４，８２４,２５１号、第４,８３０，４８６号、第４,９６９，７３６号、第５,１１４，２２６号、第７,１３９，４４６号、第７,９２５，１３４号及び日本特許第２,６６４,３９９号において開示されている。レーザーレーダーシステムからのレーザービーム（ここでは「測定ビーム」と称する）は、レーザーレーダーシステムの光学系によって制御され、且つレーザーレーダーシステムからターゲットに向けて方向づけられる。レーザーレーダーシステムからの方向づけられたレーザービームは、スプリッタを通過しうる。スプリッタはレーザービームを測定経路に沿ってターゲットに向けて方向づけ、処理システムに向かって、レーザービームの一部分を分離させる。なお、処理システムは、米国特許第４,７３３,６０９号、第４，８２４,２５１号、第４,８３０，４８６号、第４,９６９，７３６号、第５,１１４，２２６号、第７,１３９，４４６号、第７,９２５，１３４号及び日本特許第２,６６４,３９９号において開示されるが本関連発明のどの部分も形成しない。測定経路に沿って方向づけられるレーザービームはターゲットから反射または散乱され、その反射または散乱されたレーザービームの一部分は、レーザーレーダーシステムに戻って受光され、そこでその反射または散乱されたレーザービームの一部分は、ターゲットについての情報をもたらすために検出され且つ処理される。反射または散乱された光の検出及び処理は、米国特許第４,７３３,６０９号、第４，８２４,２５１号、第４,８３０，４８６号、第４,９６９，７３６号、第５,１１４，２２６号、第７,１３９，４４６号、第７,９２５，１３４号及び日本特許第２,６６４,３９９号に従ってもたらされる。また、これらの文献には、本関連発明の本質的な部分は記載されていない。本関連発明は、レーザーレーダーシステムからポインティングビーム及び測定レーザービームを伝達する光学アセンブリに関する。
＜関連発明の概要＞
＜関連発明が解決しようとする課題＞
【００４６】
既存のレーザーレーダーシステムは、レーザーレーダーシステムの他の部品に対して回転し且つビームのポインティングを達成するために用いられる、比較的大きな回転走査（ポインティング）ミラーを備える。このミラーはシステムの不安定性及び偏光の問題を引き起こす。また、既存のシステムは色収差があるため、２つの波長（例えばポインティングビーム波長と測定ビーム波長）を同時に空間の部分に集光させることができない。さらに、既存のシステムは、レーザーレーダーと同じ方向に向けられたカメラの視野を制限する。
＜関連発明における課題を解決するための手段＞
【００４７】
本関連発明は上記の事情を考慮してなされ、本関連発明の目的は、装置の一部として一体として移動可能な光学アセンブリを含み、光学アセンブリの出口を通して測定ビームを方向づけるように構成された装置を提供することである。なお、光学アセンブリは、光学アセンブリの出口を通して方向づけられている測定ビームの光路を折り返すように構成される。
【００４８】
本関連発明の他の目的は、視線に沿ってビームを集光する光学アセンブリを提供することである。該光学アセンブリは、レンズと、レンズを通って延在する視線に沿って光源からのビームを集光するために協働する走査反射器及び固定反射器とを備え、光源からのビームが走査反射器によって固定反射器へ反射され、固定反射器からの反射光が再び走査反射器によって反射されてレンズを通して視線に沿って方向づけられるように、レンズ、走査反射器及び固定反射器が互いに関連して方向付けられ、視線に沿ってビームの焦点を調節するために、走査反射器が光源、レンズ、固定反射器に対して移動可能である。
【００４９】
本関連発明の他の目的は、物体を検査又は測定する方法であって、測定ビームを光学アセンブリの出口を通して方向づけるように構成された光学アセンブリを用いることによって測定ビームを物体に向ける方法を提供することである。なお、前記光学アセンブリは、光学アセンブリの出口を通して方向づけられている測定ビームの光路を折り返すように構成される。
【００５０】
本関連発明のさらに他の目的は、構造体を製造する方法であって、設計情報に基づいて構造体を形成することと、前記装置を用いることによって構造体の形状情報を得ることと、形成された構造体を配置することによって構造体の形状情報を得ることと、得られた形状情報を設計情報と比較することとを含む、構造体を製造する方法を提供することである。
【００５１】
本関連発明の第１の態様に従えば、物体を検査又は測定するための装置であって、前記装置の一部として一体として移動可能な光学アセンブリを含み、測定ビームを前記光学アセンブリの出口を通して方向づけるように構成され、前記光学アセンブリは、前記光学アセンブリの前記出口を通して方向づけられる前記測定ビームの光路を折り返すように構成される装置が提供される。
【００５２】
前記装置は、前記光学アセンブリが反射屈折光学系を含んでもよい。さらに、光の進行方向が前記光学アセンブリ内で変化してもよい。
【００５３】
本関連発明の第１の態様に従う装置は、さらに、前記測定ビームと参照ビームを分離するように構成される第１スプリッタを含んでもよい。さらに、前記物体からの反射された測定ビームと前記参照ビームを混ぜて前記物体の距離を測定するように構成される第２スプリッタを含んでもよい。
【００５４】
本関連発明の第１の態様に従う装置は、さらに、異なる方向を有する２つの軸に沿って前記光学アセンブリを動かすように構成される移動可能な部分を含んでもよい。
【００５５】
本関連発明の第１の態様に従う装置は、前記光学アセンブリが反射屈折光学系を含んでもよく、さらに、前記光学アセンブリが、前記測定ビームが前記光学アセンブリの前記出口へ方向づけられる透過部を有する窓を含んでもよい。さらに、前記光学アセンブリが、前記測定ビームを光ファイバーから前記窓の反射領域へ方向づける中継システムと、前記窓の前記反射領域からの前記測定ビームを受光し反射し返し前記窓の透過部分を通して、前記光学アセンブリの前記出口を通して方向づけられているポインティングビーム及び測定ビームの光路を折り返す反射屈折光学系を含んでもよい。さらに、前記光学アセンブリが、前記反射屈折光学系によって反射され戻って前記窓の前記透過部を通るように方向付けられる前記測定ビームの焦点を変化させるために、少なくとも一つの移動可能な光学系を含んでもよい。さらに、前記反射屈折光学系によって反射され戻って前記窓の前記透過部を通るように方向づけられる前記測定ビームの前記焦点が、複数の光学系を動かすことによって変化し、前記複数の光学系が光学パワーは低いが球面収差が大きくてもよい。
【００５６】
本関連発明の第１の態様に従う装置は、前記光学アセンブリが反射屈折光学系を含んでもよく、さらに、前記窓は、前記ポインティングビーム及び前記測定ビームの波長範囲を含む所定の波長範囲内の光を透過するコールドミラーを含み、前記ポインティングビーム及び前記測定ビームを伝達する光ファイバーが前記コールドミラーの中心部位に設置され、前記反射屈折光学系は、前記光ファイバーからの前記測定ビームを受光し、前記測定ビームを反射して前記コールドミラーを通るように戻し、前記測定ビームが前記光学アセンブリの前記出口へ方向づけられてもよい。さらに、前記光学アセンブリが、前記反射屈折光学系によって反射され戻って前記コールドミラーを通るように方向づけられた前記測定ビームの焦点を変えるために、少なくとも一つの移動可能な光学系を含んでもよい。さらに、前記反射屈折光学系によって反射され戻って方向づけられて前記窓の前記透過部分を通る前記測定ビームの前記焦点が、複数の光学系を動かすことによって変えられ、前記複数の光学系は、光学パワーは低いが球面収差が大きくてもよい。
【００５７】
本関連発明の第１の態様に従う装置は、前記測定ビームがポインティングビームと組み合わされてもよい。
【００５８】
本関連発明の第１の態様に従う装置は、前記光学アセンブリが、前記測定ビームを視線に沿って且つ前記光学アセンブリの出口を通して方向づけるように構成され、前記光学アセンブリは走査反射器を含み、前記走査反射器は前記測定ビームの焦点を前記視線に沿って調節するために移動可能であってもよい。さらに、前記光学アセンブリは固定反射器を含み、前記固定反射器及び走査反射器は、光源からの前記測定ビームが前記走査反射器によって前記固定反射器へ反射され、前記固定反射器からの反射された測定ビームが再び前記走査反射器によって反射されるように、互いに対して相対的に方向づけられ、前記測定ビームの前記焦点を前記視線に沿って調節するために、前記走査反射器は前記固定反射器に対して移動可能であってもよい。さらに、前記走査反射器がレトロリフレクターを含み、前記固定反射器が平面鏡を含んでもよい。さらに、前記光源及び前記平面鏡が全て前記光学アセンブリの支持構造体に対して固定された部位にあり、前記測定ビームの前記焦点を前記視線に沿って変化させるために、前記レトロリフレクターがそれらの固定された部位に対して移動可能であってもよい。さらに、前記レトロリフレクターは、少なくとも３つの反射面を有するコーナーキューブを含み、前記少なくとも３つの反射面は、（ｉ）前記光源からの前記測定ビームが前記コーナーキューブを通して前記平面鏡へ反射され、前記平面鏡から反射された前記測定ビームが再び前記コーナーキューブを通して反射され、（ｉｉ）少なくとも一つの所定の方向における前記コーナーキューブの動きによって、前記所定の方向を横切る方向における前記コーナーキューブの動きまたは前記所定の方向に対する前記コーナーキューブの回転に実質的に影響されない方法で、前記測定ビームの前記焦点が前記視線に沿って調節されるように方位が付けられてもよい。
【００５９】
本関連発明の第１の態様に従う装置は、前記光学アセンブリが、前記測定ビームを視線に沿って且つ前記光学アセンブリの出口を通して方向づけるように構成され、前記光学アセンブリは走査反射器を含み、前記走査反射器は前記測定ビームの焦点を前記視線に沿って調節するために移動可能であってもよく、さらに、前記走査反射器は、前記測定ビームの２つの反射をもたらす反射ルーフを含み、前記固定反射器も、前記測定ビームの２つの反射光をもたらす反射ルーフを含み、両方の反射ルーフの交線は互いに相対して所定の方向を向いていてもよい。さらに、前記走査反射器によって反射され、前記視線に沿って方向づけられる前記測定ビームが、前記測定ビームの前記視線を折り返す折り返しミラーによって反射されてもよい。さらに、前記ビーム源及び前記平面鏡が、前記レトロリフレクターに対して一体として動くことが可能であるような方法で支持され、前記視線は前記一体とともに動いてもよい。さらに、前記光源が前記折り返しミラーに支持される光ファイバーを含んでもよい。
【００６０】
本関連発明の第１の態様に従う装置は、前記光学アセンブリが、前記測定ビームを視線に沿って且つ前記光学アセンブリの出口を通して方向づけるように構成され、前記光学アセンブリは走査反射器を含み、前記走査反射器は前記測定ビームの焦点を前記視線に沿って調節するために移動可能であってもよい。さらに、前記光学アセンブリは固定反射器を含み、前記固定反射器及び走査反射器は、光源からの前記測定ビームが前記走査反射器によって前記固定反射器へ反射され、前記固定反射器からの反射された測定ビームが再び前記走査反射器によって反射されるように、互いに対して相対的に方向づけられ、前記測定ビームの前記焦点を前記視線に沿って調節するために、前記走査反射器は前記固定反射器に対して移動可能であってもよい。さらに、前記走査反射器がレトロリフレクターを含み、前記固定反射器が平面鏡を含んでもよい。この場合において、前記走査反射器によって反射され、前記視線に沿って方向づけられる前記測定ビームが、前記測定ビームの前記視線を折り返す偏光ビームスプリッタによって反射され、前記光源は、前記測定ビームの前記視線を折り返す前記偏光ビームスプリッタに対する所定の部位において光ファイバーを備えてもよい。あるいは、前記光源が、前記平面鏡として機能する部分及び前記走査反射器によって反射される前記測定ビームの前記視線を折り返す別の部分を有するモノリシック部材によって支持される光ファイバーを含んでもよい。あるいは、前記光源が前記平面鏡を支持する透過部材によって支持される光ファイバーを含んでもよい。
【００６１】
本関連発明の第２の態様に従えば、ビームを視線に沿って集光するための光学アセンブリであって、レンズと、前記レンズを通って延在する視線に沿って光源からのビームを集光するために協働する走査反射器及び固定反射器と含み、前記光源からのビームが前記走査反射器によって前記固定反射器へ反射され、前記固定反射器からの反射光が再び前記走査反射器によって反射されて前記レンズを通して前記視線に沿って方向づけられるように、前記レンズ、前記走査反射器及び前記固定反射器が互いに対して相対的に方位が付けられ、前記視線に沿って前記ビームの前記焦点を調節するために、前記走査反射器が前記光源、前記レンズ及び前記固定反射器に対して相対的に移動可能である光学アセンブリが提供される。
【００６２】
本関連発明の第２の態様に従う光学アセンブリは、前記走査反射器がレトロリフレクターを含み、前記固定反射器が平面鏡を含んでもよい。さらに、前記光源、前記レンズ及び前記平面鏡が全て前記光学アセンブリの支持構造体に対して固定され、前記測定ビームの前記焦点を前記視線に沿って変化させるために、前記レトロリフレクターがそれらの固定された部位に対して移動可能であってもよい。さらに、前記レトロリフレクターは、少なくとも３つの反射面を有するコーナーキューブを含み、前記少なくとも３つの反射面は、（ｉ）前記光源からの光が前記コーナーキューブを通して前記平面鏡へ反射され、前記平面鏡から反射された光が再び前記コーナーキューブを通して反射され、（ｉｉ）少なくとも一つの所定の方向における前記コーナーキューブの動きによって、前記所定の方向を横切る方向における前記コーナーキューブの動きまたは前記所定の方向に対する前記コーナーキューブの回転に実質的に影響されない方法で、前記ビームの前記焦点が前記視線に沿って調節されるように方向づけられてもよい。
【００６３】
本関連発明の第２の態様に従う光学アセンブリにおいて、前記走査反射器は、前記ビームの２つの反射をもたらす反射ルーフを含み、前記固定反射器も、前記ビームの２つの反射光をもたらす反射ルーフを含み、両方の反射ルーフの交線は互いに相対して所定の方向を向いていてもよい。さらに、前記走査反射器によって反射され、前記レンズを通して前記視線に沿って方向づけられる前記ビームが、前記レンズを通して方向づけられる前記ビームの前記視線を折り返す折り返しミラーによって反射されてもよい。この場合において、さらに、前記レンズ、前記ビーム源及び前記平面鏡が、前記レトロリフレクターに対して一体として動くことが可能であるような方法で支持され、前記視線は前記一体とともに動てもよい。あるいは、前記光源が前記折り返しミラーに支持される光ファイバーを含んでもよい。
【００６４】
本関連発明の第２の態様に従う光学アセンブリにおいて、前記走査反射器がレトロリフレクターを含み、前記固定反射器が平面鏡を含んでもよく、さらに、前記走査反射器によって反射され、前記レンズを通して前記視線に沿って方向づけられる前記ビームが、前記レンズを通して方向づけられる前記ビームの前記視線を折り返す偏光ビームスプリッタによって反射され、前記光源が、前記レンズを通して方向づけられる前記ビームの前記視線を折り返す前記偏光ビームスプリッタに対する所定の部位において光ファイバーを含んでもよい。
【００６５】
本関連発明の第２の態様に従う光学アセンブリにおいて、前記走査反射器がレトロリフレクターを含み、前記固定反射器が平面鏡を含んでもよく、さらに、前記光源が、前記平面鏡として機能する部分及び前記走査反射器によって反射され且つ前記レンズを通して前記視線に沿って方向づけられる前記ビームの前記視線を折り返す別の部分とを有するモノリシック部材によって支持される光ファイバーを含んでもよい。
【００６６】
本関連発明の第２の態様に従う光学アセンブリにおいて、前記走査反射器がレトロリフレクターを含み、前記固定反射器が平面鏡を含んでもよく、さらに、前記光源が前記平面鏡を支持する透過部材によって支持される光ファイバーを含んでもよい。
【００６７】
本関連発明の第３の態様に従えば、物体を検査又は測定するための方法であって、光学アセンブリの出口を通して測定ビームを方向づけるように構成される光学アセンブリ用いて前記物体を測定ビームで照明することを含み、前記光学アセンブリは、前記光学アセンブリの前記出口を通して方向づけられている前記測定ビームの光路を折り返すように構成される、物体を検査又は測定するための方法が提供される。
【００６８】
本関連発明の第２の態様に従う物体を検査又は測定するための方法は、前記光学アセンブリが反射屈折光学系を含んでもよい。さらに、前記光学アセンブリが、測定ビームを視線に沿って且つ前記光学アセンブリの前記出口を通して方向づけるように構成され、前記光学アセンブリは走査反射器を含み、前記走査反射器は前記測定ビームの焦点を前記視線に沿って調節するために移動可能であってもよい。
【００６９】
本関連発明の第４の態様に従えば、設計情報に基づいて構造体を製造することと、
本関連発明の第３の態様に従う方法を用いることによって、構造体の形状情報を得ることと、
前記得られた形状情報を前記設計情報と比較することとを含む、構造体を製造する方法が提供される。
【００７０】
本関連発明の第４の態様に従う、構造体を製造する方法は、さらに、前記構造体を前記比較の結果に基づいて再処理することを含んでもよい。
【００７１】
本関連発明の第４の態様に従う、構造体を製造する方法において、前記構造体の再処理が前記構造体をもう一度製造することを含んでもよい。
＜関連発明を実施するための形態＞
【００７２】
本関連発明によるレーザーレーダーシステム１１００の実施形態を、以下で図面を参照して説明する。しかし、本関連発明はそれらに限定されない。
【００７３】
本関連発明の実施形態は、小型の光学アセンブリ（集積光学アセンブリ又はＩＯＡと称されることがある）を提供する。このような小型の光学アセンブリはレーザーレーダーシステムにおいて有用であり、他の様々な光学システムにおいても有用である。
【００７４】
レーザーレーダーシステムにおいて、光学アセンブリは、レーザーレーダーシステムがターゲットに向けられるように、レーザーレーダーシステムと一体として動くように構成され、レーザーレーダーシステムの他の部品に対して移動可能な大きな走査（ポインティング）ミラーを不要にする。
【００７５】
光学アセンブリは小型であり、ポインティングビーム及び測定ビームを光学レーダーシステムの出口に向けて方向づけ集光させるための素子を比較的単純に組み立てたものを利用するように設計される。
【００７６】
本関連発明の第１実施形態に従う光学システムは、レーザーレーダーと一体として移動可能であり、レーザーレーダーシステムが向けられるターゲットへポインティングビームと測定ビームの両方を方向づける反射屈折光学系を含み、反射屈折光学系は、ポインティングビームを方向づけるためにレーザーレーダーの他の部品に対して移動可能な走査（ポインティング）ミラーを不要にする。ポインティングビームは可視（例えば約６１０ｎｍから７５０ｎｍのような赤色）波長範囲内で作り出され、測定ビームは異なる所定の波長（例えば約０．７μｍから１０μｍなどの赤外光、つまりＩＲ）範囲内で作り出される。ポインティングビーム及び測定ビームをレーザーレーダーシステムから（ターゲットに）方向づけるために、ポインティングビーム及び測定ビームは、レーザーレーダーシステムと一体として動く本実施形態の小型の光学アセンブリによって、レーザーレーダーの他の部品に対して移動可能な走査（ポインティング）ミラーの使用をしない方法で操作される。
【００７７】
光学アセンブリは、光学パワー(optical power)の大部分をもたらす凹面鏡を含む反射屈折光学系を含み、２つの必要とされる波長の間の色収差の容易な補正を可能にする。凹面鏡は、光路をそれ自身に向けて折り返し、光学アセンブリの全体の大きさを実質的に減じる。光学アセンブリのサイズは、カメラがレーザーレーダーシステムの移動部分に設置されるように十分小さく設計され、カメラの光軸が測定ビームの軸と同一線上になるようにする反射窓又はコールドミラーを用いることにより、視差効果を取り除く。凹面鏡は、システムの色収差の補正に役立ち、また光路を折り返して、走査のために光学アセンブリ全体がレーザーレーダーシステムと一体として回転するようにする小型の光学システムを作り出し、既存のシステムの高価で手間のかかる回転（ポインティング）ミラーを除外する。
【００７８】
基本的に本関連発明の第１実施形態は、レーザーレーダーシステムの一部として一体として移動可能であり、且つポインティングビーム及び測定ビームをレーザーレーダーシステムの出口を通して方向づけるように構成される光学アセンブリを含む。光学アセンブリは、光学アセンブリの大きさを圧縮するために、レーザーレーダーシステムの出口を通して方向づけられているポインティングビーム及び測定ビームの光路を折り返すように構成される反射屈折光学系を含む。
【００７９】
本関連発明の第１実施形態は様々な方法で実施(implemented)され得る。例えば、光学アセンブリは、ポインティングビーム及び測定ビームをレーザーレーダーシステムの出口に向かって方向づける透過部分を備える窓を含む。中継システムが、ポインティングビーム及び測定ビームを光ファイバーから窓の反射領域へ方向づけ、反射屈折光学系が窓の反射領域からのポインティングビーム及び測定ビームを受光し、反射して窓の透過部分に戻す。それによりレーザーレーダーシステムの出口を通して方向づけられるポインティングビーム及び測定ビームの光路が折り返され、光学アセンブリの大きさが圧縮される。凹面鏡は、光路をそれ自身に向けて折り返す。換言すると、光路の一部が重なる。測定ビームの光路に関しては、凹面鏡と窓の反射領域の間の光路が重なる。換言すると、光学アセンブリは光源からの光の２以上の方向を有する。
【００８０】
この実装のある具合的なバージョンにおいて、光学アセンブリは、反射屈折光学系によって反射されて窓の透過部分を通るように戻されたポインティングビーム及び測定ビームの焦点を変えるために、少なくとも一つの移動可能な光学系を含む。他の具体的なバージョンにおいて、反射屈折光学系によって反射されて窓の透過部分を通るように戻されたポインティングビーム及び測定ビームの焦点は、光学パワーは低いが（low optical
power)球面収差が大きいことを特徴とする複数の光学系を動かすことによって変化する。
【００８１】
本関連発明の第１実施形態の他の実装において、窓は、ポインティングビーム及び測定ビームの各々の波長範囲を含む所定の波長範囲内の光を透過するコールドミラーを含み、ポインティングビーム及び測定ビームを伝達する光ファイバーがコールドミラーの中心部位に設置される。反射屈折光学系は光ファイバーからのポインティングビーム及び測定ビームを受光し、ポインティングビーム及び測定ビームを反射して、レーザーレーダーシステムの出口へ方向づけられるコールドミラーに戻す。カメラ１４０は、コールドミラー１２２の被膜によって反射された光をカメラが受光するように位置づけられ、カメラの視線は測定ビーム及びポインティングビームの軸と同一線上になる。コールドミラー１２２はカメラの光軸を測定ビームの軸と同一線上にする。
【００８２】
この実装のある具体的なバージョンにおいて、光学アセンブリは、反射屈折光学系によって反射されてコールドミラーを通るように戻るポインティングビーム及び測定ビームの焦点を変えるために、少なくとも一つの移動可能な光学系を含む。他の具体的なバージョンにおいて、反射屈折光学系によって反射されてコールドミラーを通るように戻ったポインティングビーム及び測定ビームの焦点は、光学パワーは低いが（low optical
power)球面収差が大きいことを特徴とする複数の光学系を動かすことによって変えられる。
【００８３】
本関連発明の第２実施形態の基本的な態様に従うと、光学アセンブリは、ポインティングビーム及び測定ビームを視線に沿って且つレーザーレーダーシステムの出口を通して方向づけるように構成される。光学アセンブリは、光源、レンズ、走査反射器及び固定反射器を含み、これらはレンズを通って延在する視線に沿って光源からのポインティングビーム及び測定ビームを集光するために協働する。光源、レンズ、走査反射器及び固定反射器は、光源からのポインティングビーム及び測定ビームが走査反射器によって固定反射器へ反射され、固定反射器からの反射されたポインティングビーム及び測定ビームが再び走査反射器によって反射され、レンズを通して視線に沿って方向づけられるように、互いに関連して方向づけられる。そして走査反射器は、ポインティングビーム及び測定ビームの焦点を視線に沿って調節するために、光源、レンズ及び固定反射器に対して移動可能である。
【００８４】
本関連発明の第２の実施形態の好ましいバージョンに従うと、走査反射器はレトロリフレクターを含み、固定反射器は平面鏡を含む。光源、レンズ及び平面鏡は全て、光学アセンブリの支持構造体に対して固定された部位にあり、レトロリフレクターは、ポインティングビーム及び測定ビームの焦点を視線に沿って変化させるために、それらの固定された部位に対して移動可能である。
【００８５】
また、以下の詳細な説明は、本関連発明の第２実施形態の光学アセンブリのいくつかのバージョンを提供する。あるバージョンにおいて、レトロリフレクターは、次のように方向づけられる少なくとも３つの反射面を有するコーナーキューブを含む。（ｉ）光源からのポインティングビーム及び測定ビームがコーナーキューブを通して平面鏡へ反射される。（ｉｉ）平面鏡から反射されたポインティングビーム及び測定ビームが再びコーナーキューブを通して反射される。（ｉｉｉ）少なくとも一つの所定の方向におけるコーナーキューブの動きによって、所定の方向を横切る方向におけるコーナーキューブの動きまたは所定の方向に対するコーナーキューブの回転に実質的に影響されない方法で、ポインティングビーム及び測定ビームの焦点が視線に沿って調節される。
【００８６】
本関連発明の第２実施形態に従う光学アセンブリの別のバージョンにおいて、走査反射器は、ポインティングビーム及び測定ビームの２つの反射光をもたらす反射ルーフを含み、固定反射器は、ポインティングビーム及び測定ビームの２つの反射光をもたらす反射ルーフを含み、両方の反射ルーフの交線は互いに相対して所定の方向を向いている。
【００８７】
また以下の詳細な説明は、（例えば本関連発明の第２実施形態の）光学アセンブリの部品を構成し方向づけるためのコンセプトをもたらす。それらのコンセプトは、例えば、光学アセンブリを可能な限り小型に保ったまま、光学アセンブリを軽量にし、光学アセンブリの性能を改善するために設計される。
【００８８】
あるコンセプトにおいて、走査反射器によって反射され且つレンズを通して視線に沿って方向づけられるポインティングビーム及び測定ビームは、レンズを通して方向づけられるポインティングビーム及び測定ビームの視線を折り返す折り返しミラーによって反射される。光源は折り返しミラーに支持される光ファイバーを含む。
【００８９】
別のコンセプトにおいて、レンズ、ビーム源及び平面鏡は、それらが、レトロリフレクターに対して一体として動くことが可能であるような方法で支持され、視線はその一体となったレンズ、ビーム源及び平面鏡とともに動く。
【００９０】
さらなる別のコンセプトにおいて、走査反射器によって反射され且つレンズを通して視線に沿って方向づけられるポインティングビーム及び測定ビームは、レンズを通して方向づけられるポインティングビーム及び測定ビームの視線を折り返す偏光ビームスプリッタによって反射される。光源は、レンズを通して方向づけられるポインティングビーム及び測定ビームの視線を折り返す偏光ビームスプリッタに対する所定の部位において光ファイバーを含む。
【００９１】
さらに別のコンセプトにおいて、光源は、平面鏡として機能する部分及び走査反射器によって反射され且つレンズを通して視線に沿って方向づけられるポインティングビーム及び測定ビームの視線を折り返す別の部分を有するモノリシック部材によって支持される光ファイバーを含む。
【００９２】
さらに別のコンセプトにおいて、光源は、平面鏡を支持する透過部材に支持される光ファイバーを含む。
＜本関連発明の第１実施形態＞
【００９３】
上記のように本関連発明は、レーザーレーダーシステムと一体として移動可能であり且つレーザーレーダーシステムからのポインティングビーム及び測定ビームを伝達するように構成される光学アセンブリを提供し、ポインティングビーム及び測定ビームはレーザーレーダーシステムが向けられるターゲットに向けられ得る。本発明は、米国特許第４,７３３,６０９号、第４，８２４,２５１号、第４,８３０，４８６号、第４,９６９，７３６号、第５,１１４，２２６号、第７,１３９，４４６号、第７,９２５，１３４号及び日本特許第２,６６４,３９９号に記載されるタイプのレーザーレーダーシステムと関連してここに記載される。また、その記載から、本関連発明を様々なタイプのレーザーレーダーシステムに実装することができる方法は当業者にとって明らかであるだろう。
【００９４】
図１２及び図１３は、この明細書で開示される実施形態の全てを含むレーザーレーダーシステムを示す。図１２及び図１３に示されるように、レーザーレーダーシステム１１００は、可視（例えば、赤色）波長範囲内のポインティングビームと、別の（例えば、赤外、ＩＲ）波長範囲内の測定ビームを形成し、ポインティングビーム及び測定ビームをレーザーレーダーシステムの出口１１２０へ方向づける（伝達する）。ポインティングビームは、測定ビームが向けられるターゲット１１０６上の位置を識別するために用いられる。ポインティングビーム及び測定ビームの光源は異なる。制御ユニットは、レーザーレーダーシステム１１００を制御することができる。この実施形態において、レーザーレーダーシステム１１００は制御ユニットを備える。しかし、レーザーレーダーシステム１１００に連結される別々のシステムが制御ユニットを備えてもよい。
【００９５】
測定ビームは、スプリッタ１１０２を通過してもよく、スプリッタ１１０２は、測定ビーム（及びポインティングビーム）を測定経路１１０４に沿って且つターゲット１１０６に向けて方向づけ、レーザービームの一部分が米国特許第４,７３３,６０９号、第４，８２４,２５１号、第４,８３０，４８６号、第４,９６９，７３６号、第５,１１４，２２６号、第７,１３９，４４６号、第７,９２５，１３４号及び日本特許第２,６６４,３９９号に記載される方法で処理される回路１１０８を通して測定ビームの一部分を送る。図１２において、そのスプリッタは１１０２と識別される下部のスプリッタである。測定経路１１０４に沿って方向づけられる測定ビームがターゲット１１０６から反射され、その反射または散乱された測定ビームの一部分がレーザーレーダーシステム１１００に戻って受光される。反射または散乱された測定ビームの一部分は、図１２に示される上部のスプリッタによって検出器へ方向づけられ、ターゲット１１０６についての情報をもたらすために検出され処理される。反射又は散乱される測定ビームからの放射の検出及び処理は、レーザーレーダーシステム１００の基部１１０でなされ、米国特許第４,７３３,６０９号、第４，８２４,２５１号、第４,８３０，４８６号、第４,９６９，７３６号、第５,１１４，２２６号、第７,１３９，４４６号、第７,９２５，１３４号及び日本特許第２,６６４,３９９号に従って、反射される放射を検出し処理するように構成される。これらの特許文献をここに援用して本文の記載の一部するが、これらは本関連発明の本実施形態のどの部分も形成しない。簡潔には、光ヘテロダイン式検出は、ターゲット１１０６へ方向づけられ、ターゲット１１０６から反射される光源光線を提供する。次いで、ターゲット１１０６についての詳細な情報を提供するために処理されうる光干渉パターンをもたらすために、リターン光線は光検出器でローカルオシレーター光線と混合される。光ヘテロダイン技術は、光源光線及び反射光線の相互関係を利用する。例えばこれらの光線は実質的に同じ波長であり、同じ光軸上に方向づけられる。測定経路１１０４及びターゲット経路１１０４は同じである。このことより信号対雑音比（ＳＮＲ）が改善され感度が高まる。ＳＮＲは公知の直接検出システムと対照的に、小さい受光開口を用いてもよいように十分に高い。小さい受光開口は、アクセスが制限される領域に挿入できる非常に小さいレンズとして想定されてもよい。また、小さい受光開口はターゲットについての詳細な情報を提供できるため、コヒーレントシステムの光学部品は非常に小さく形成されてもよく、関連する走査速度及び正確さの上昇をもたらしてもよい。例えば、１／２インチ（約１．３ｃｍ）の開口を用いるコヒーレント光システムは、直接光検出システムで用いられる４インチ（約１０．１ｃｍ）の開口よりも多くのターゲットについての情報を得ることができる。本関連発明は、ポインティングビーム及び測定ビームをレーザーレーダーシステムの出口１１２０に伝達する光学アセンブリを対象とする。
【００９６】
公知のレーザーレーダーシステムにおいて、ポインティングビームをターゲットへと方向づけるために、移動可能なミラーが設けられる。移動可能なミラーは、測定ビームを伝達する光学系から離れており、移動可能なミラーとレーザーレーダー光学系の両方を収容するために比較的大きなレーザーレーダーハウジングを必要とする。測定ビームとポインティングビームの両方がレーザーレーダーシステム１１００と一体として移動可能で且つ比較的小型な光学アセンブリによって形成されるため、本関連発明は比較的小型である。さらに、本発明の光学アセンブリは、ビーム伝達／受光動作を実行する場合に比較的安定であるように設計される。光学アセンブリを移動するために電気モーターが設けられる。この関連発明の実施形態において、光学アセンブリは、異なる方向と関連する２つの軸について移動可能である。図１３に示されるように、２つの軸は、ＹＺ面とＸＹ面で定まる。２つの軸はＺ軸及びＸ軸である。光学アセンブリの位置をモニターするためにエンコーダが設けられる。制御ユニットは、光学アセンブリの位置によって電気モーターのパワーを制御することができる。
【００９７】
図１３に示されるように、レーザーレーダーシステム１１００は、光学アセンブリが設置、固定されるハウジング（例えば回転可能シリンダ１１１２）を含む。それにより光学アセンブリはシリンダ１１１２と一体として、レーザーレーダーシステムの基部１１１０に対して移動する。レーザーレーダーシステムは、ハウジング１１１２において出口１１２０を含み、出口１１２０を通して放射（例えば２つの波長のポインティングビーム及び測定ビーム）がレーザーレーダーシステムから方向づけられる。基部１１１０は、米国特許第４,７３３,６０９号、第４，８２４,２５１号、第４,８３０，４８６号、第４,９６９，７３６号、第５,１１４，２２６号、第７,１３９，４４６号、第７,９２５，１３４号及び日本特許第２,６６４,３９９号に開示されるレーザーレーダーシステムの処理性能を含む。
【００９８】
本実施形態の第１実施形態の光学アセンブリ１１１４の基本的な特徴は、図１４ａ〜１４ｃから理解することができる。図１４ａにおいて、光学アセンブリ１１１４は、ポインティングビーム及び測定ビームが伝達される光ファイバー（ファイバーチップ１１１６で表される）と、光ファイバー１１１６からのポインティングビーム及び測定ビームを（図１４ａ〜１４ｃの実施形態においては、折り返しミラーとも称される）窓１１２２の小さい反射領域１１２６へと方向づける中継システム１１２４と、窓１１２２の反射領域１１２６からのポインティングビーム及び測定ビームを受光及び反射し窓１１２２を通るように戻す反射屈折光学系１１２８とを含み、ポインティングビーム及び測定ビームは、ハウジング１１１２の出口１１２０を通して方向づけられる。窓１１２２は、片面に反射領域１１２６を形成する小さな銀色の領域を有し、もう一方の面に赤色及び赤外範囲内の放射が窓を透過して出力開口１１２０に伝達されるようにする被膜を有する。カメラ１１４０が、窓１１２２の被膜によって反射された光を受光するように、カメラの視線が測定ビーム及びポインティングビームの軸と同一線上になるようにして設置される。なお、カメラ１１４０の位置及び向きが図１４ａに示されているが、図１４ｂ、図１４ｃ、図１５に示される本関連発明の第１実施形態のバージョンにおいて、カメラ１１４０を窓１１２２に対して同様に位置づけ、方向づけることができる。
【００９９】
さらに、光学アセンブリ１１１４は、ターゲット１１０６から反射または散乱された少なくともいくつかの放射を受光するように構成され、その放射がファイバー１１１６に戻るように方向付ける。ファイバー１１１６は、可視（例えば赤色）波長範囲内のポインティングビームを異なる、例えば赤外（ＩＲ）の波長範囲内の測定ビームと結合する、ファイバービーム結合器を有し得る。ポインティングビーム及び測定ビームは別々の光源から発生させられ、当業者によく知られた方法で基部１１１０内に設置されるファイバービーム結合器によって結合される。
【０１００】
この本関連発明の実施形態のレーザーレーダーシステム１１００は、ポインティングビーム及び測定ビームを有する。しかしレーザーレーダーシステム１１００は測定ビームを有し、ポインティングビームを有さなくてもよい。測定ビームは、例えば可視である。ゆえにこの場合では、測定ビームがポインティングビームにもなり得る。この関連発明の実施形態のレーザーレーダーシステム１１００は、ポインティングビームと測定ビームの間で異なる波長領域を有する。しかしレーザーレーダーシステム１１００は、例えば可視領域などの同じ波長領域を有してもよい。
【０１０１】
図１４ａにおいて、光学アセンブリ１１１４は、光ファイバー１１１６からのポインティングビーム及び測定ビームを窓１１２２の小さな反射領域１１２６へと方向づける中継システム１１２４と、窓１１２２の反射領域１１２６からのポインティングビーム及び測定ビームを受光及び反射し、窓１１２２の透過部を通るように戻す反射屈折光学系１１２８とを含み、ポインティングビーム及び測定ビームは、ハウジングの出口１１２０を通して方向づけられる。反射屈折光学系１１２８は、放射（つまり、ポインティングビーム及び測定ビーム）を反射する球面鏡１１３０と、放射を方向づける１つ以上の光学系を含む。図１４ａの実施形態において、光学アセンブリは、球面鏡１１３０から反射された放射の焦点を変化させ、窓１１２２を通して戻すために、少なくとも一つの移動可能な光学系１１３２を含む。光学系１１３２は両凹でも平凹でもよく、少なくとも一つの凹部１１３４が折り返しミラー１１２２に対面する。移動可能な光学系１１３２は、球面鏡１１３０から反射された放射をターゲットに集光するように構成される。また移動可能な光学系１１３２は、透過レンズ表面で反射された迷光（ゴースト像）が戻ってファイバー１１１６を通るように方向付けられることを減少させるように構成される。具体的には（specifically）、光学系１１３２の凹部１１３４は、レンズ表面で反射された迷光が戻ってファイバーを通るように方向付けられる可能性を減少させるために、ファイバー複合体とは全く異なる曲率中心を有する。また、光学アセンブリに関して固定されるレンズ１１３５は、ターゲット上の回折限界集光スポットを許容し（allowing for)、球面収差を補正する。球面鏡は光路をそれ自身に向かって折り返す。言い換えると、光路の一部分が重なる。測定ビームの光路に関して、凹面鏡と反射領域１１２６の間の光路が重なる。言い換えると、光源からの光の進行方向が光学アセンブリ内で変わる。反射領域１１２６から凹面鏡への方向は、凹面鏡から反射領域１１２６への方向と異なる。本関連発明の第１実施形態の別の特定のバージョンでは、図１４ｂ及び図１４ｃに示されるように、光学アセンブリは、球面鏡１１３０及び窓１１２２に対してグループとして移動できる光学系の組１１３６を含む。図１４ｂ及び１４ｃの実施形態において、反射屈折光学系によって反射され戻って窓１１２２を通るように方向づけられたポインティングビーム及び測定ビームの焦点は、光学系の組１１３６を動かすことによって変化する。その光学系は、光学パワーは低いが（low  optical  power)球面収差が大きいことを特徴とする。よって、図１４ｂの例において、短い距離（例えば、約１メートル）の焦点をもたらすために、光学系の組１１３６が窓１１２２に比較的近接している。図１４ｃにおいては、比較的長い距離（例えば、約６０メートル）の焦点をもたらすために、光学系の組１１３６が球面鏡１１３０に比較的近接している。移動するグループ１１３６の位置は、２つの極端な状態の間で連続的に可変であり、レーザーレーダー光学アセンブリから例えば１〜６０メートルの間のいかなる距離においても、測定ビーム及びポインティングビームを集光できる。
【０１０２】
本関連発明の第１実施形態のさらに別の特定のバージョンにおいて、その反射屈折部分が図１５に示されるが、窓１１２２は「コールドミラー」として知られるものを含む。なぜならコールドミラーはポインティングビーム及び測定ビームの可視赤色波長領域及びＩＲ波長領域の放射を透過し、より短い波長の放射を反射するためである。光ファイバー１１１６はコールドミラー１１２２の中心部位の孔１１３７に設置される。反射屈折光学系は、図１４ａ、１４ｂ、１４ｃに関係して記載された方法で、光ファイバー１１１６からのポインティングビーム及び測定ビームの放射を受光し、コールドミラー１１２２を通してレーザーレーダーのハウジング１１２２の出口１１２０へその放射を反射して戻す。また、第１実施形態のこのバージョンは、反射されてコールドミラーを通るように戻された放射の焦点を変化させるために、（例えば図１４ａにおいて１１３２で示されるような）一つの両凹又は平凹の光学系を含み得る。（一つの両凹又は平凹の光学系は、レンズ表面から反射された迷光（ゴースト像）が戻ってファイバーを通るように方向付けられることを減少させるために、ファイバー複合体とは全く異なる曲率中心を有する凹表面１１３４を備える。）あるいは、その第１実施形態のバージョンは、（例えば、図１４ｂ及び１４ｃにおいて１１３６で示されるような）複数の移動する光学系を含み得る。複数の移動する光学系は、光学パワーは低いが（low  optical  power)球面収差が大きいことを特徴とする光学系の組１１３６を動かすことによって、反射屈折光学系によって反射され且つ戻ってコールドミラー１１２２を通るように方向付けられたポインティングビーム及び測定ビームの焦点が変化するように構成される。
【０１０３】
図１６は、本関連発明の第１実施形態に従う光学アセンブリの性能の例を示す。図１６の例において、１、２、５、２４及び６０メートルにおいて（赤外光について）性能が示されているが、赤色光はいずれの位置についてもよく集光する。図１６は、当業者によく知られている光学システムの性能水準を示すスポットダイアグラムを示す。図１６の実線の円は、波長及びレーザーレーダー光学システムの開口によって定まる回折限界を示す。回折限界は、当業者によく知られるように、この光学システムにとって可能な最良の性能を示す。１、２、５、２４及び６０メートルの各ターゲット距離についての３つのプロットは、反射屈折光学システム１１２８及び／又は中継システム１１２４に対してファイバーが軸外に移動するときの性能を示す。各ターゲット距離についての３つのプロットは、左上は軸外距離０ｍｍについて、右上は軸外距離０．３ｍｍについて、中央下は軸外距離０．５ｍｍについてである。「＋」記号は、異なる光線の集光位置を示す。これらの記号全てが回折限界を示す円内または円に近接している場合は、当業者によく理解されるように、レンズの性能は回折限界的である。
【０１０４】
ターゲットの３次元における位置を測定するためのレーザーレーダーの能力の重要な側面は、レーザーレーダーのポインティング（光学）軸に垂直な面におけるスポットの位置の分解能である。これは、光学アセンブリ全体をポイントするステアリングアセンブリの２つのポインティング角を正確に測定することによってなされる。しかしある状況において、ポインティング軸に垂直な面におけるターゲット位置の空間分解能は、光学アセンブリがターゲット上に結像するスポットの大きさに制限され得る。換言すると、ターゲットの結像される光のスポットが小さいほど、ターゲットの３次元位置がよりよく定められ得る。よって図１６に示される性能は、当業者にとって明らかなように、本明細書に記載されるタイプのシステムを用いて達成される典型的な性能は回折限界的であり得ることを示す。
【０１０５】
さらに、結像したスポットの大きさは、光学アセンブリによってどれだけ光が集められ得るかを決定する。より多くの光がターゲットに集光する場合、より多くの光がターゲットによって反射又は散乱され、その反射又は散乱された光の適当な一部分が光学アセンブリによって集められ、集光されてファイバー１１１６に戻され、これによりレーザーレーダーとターゲットの間の距離の正確な測定が可能となる。換言すると、米国特許第４,７３３,６０９号、第４，８２４,２５１号、第４,８３０，４８６号、第４,９６９，７３６号、第５,１１１４，２２６号、第７,１３９，４４６号、第７,９２５，１１３４号及び日本特許第２,６６４,３９９号に記載される技術を用いると、スポットが小さいほど、より多くの測定光が光学アセンブリに戻り、より正確な距離測定がなされる。
【０１０６】
図１７は、本実施形態に従う光学アセンブリを用いた、移動するグループ１１３６の軸方向の位置を関数とする測定ビーム及びポインティングビームの焦点位置の例を示す。図１７に示されるプロットは、特に図１４ｂ及び１４ｃに示される構成についての移動するグループの位置を示し、１メートルから６０メートルの距離まで（レーザーレーダーハウジング１１１２からターゲットまで）進むためには、光学系の移動可能なグループ１１３６が約４７ｍｍ動く必要があることを示す。
【０１０７】
当業者に理解されるように、本関連発明の第１実施形態の光学アセンブリ１１１４は小型で堅牢であり、光学パワーの大半のために凹面鏡１１３０を用いる。また、凹面鏡１１３０は色収差を生じない。図１４ａ〜１４ｃの実施形態において、窓１１２２は、窓の片面に小さな銀色の領域１１２６が加えられ（、少し不明瞭化を生じ）る。窓１１２２の他方の面は、所定の波長（例えば、可視赤色、ＩＲ）範囲内の光を透過し、可視ポインティングビームに使用される波長以外のスペクトルの可視域の光を反射する波長選択性被膜を備える。これによりカメラ１１４０は、レーザーレーダーシステムによって測定されている場所を見るためにその残りの可視光を使用できる。
【０１０８】
また、主ミラー１１３０は凹型であり、好ましい実施形態において、主ミラーは球形であることにも注目すべきである。主ミラー１１３０は、光学アセンブリの色収差を補正するのに役立ち得る。図１４ａの実施形態における両凹又は平凹の移動レンズ１１３２により集光を達成（accomplish）することができる。レンズグループ１１３６（図１４ｂ、１４ｃ）を主ミラー１１３０とコールドミラー１１２２の間で動かすことによっても集光を達成（accomplish）することができる。
【０１０９】
よって、本関連発明の第１実施形態の反射屈折光学アセンブリは、（ｉ）移動するミラーの必要性を取り除（いて、問題のあるドップラー効果を取り除）き、（ｉｉ）２つの波長（赤及び赤外）を同時に集光させるように設計される、小型の光学アセンブリを提供する。凹面鏡１１３０と窓（又はコールドミラー）１１２２の間に設置される移動可能なレンズ１１３２又はレンズグループ１１３６が、ここに記載され示される部品と共に、集光を実現する。
【０１１０】
さらに、光学アセンブリは、窓（又はコールドミラー）１１２２から１メートルから６０メートルの連続的な集光範囲をもたらすように設計される。窓（又はコールドミラー）の背面での不明瞭化はごくわずかであり、中継システム１１２４によってもたらされる色収差は反射屈折光学系によって補正される。
【０１１１】
よって、本関連発明の第１実施形態は、小型の光学アセンブリを提供し、この光学アセンブリは、レーザーレーダーシステムの他の部品に対して移動可能な大きな走査（ポインティング）ミラーを不要にするため、レーザーレーダーシステムにおいて役立つ。さらに、本関連発明の第１実施形態の小型の光学アセンブリは、屈折力のほとんどをもたらす凹面鏡を備える反射屈折構成を有し、ポインティングビーム及び測定ビームの２つの所要波長間でより容易に色収差を補正する。凹面鏡は、光路をそれ自身へ向けて折り返し、全体的な大きさを実質的に減じる。システムの大きさは、カメラ１１４０（図１３、１４ａ）がレーザーレーダーシステムの動く部分に設置されるように十分に小さいべきであり、カメラの光軸が測定ビームの軸と同一線上になるようにする反射窓又はコールドミラーを用いることで視差効果を除外する。窓（又はコールドミラー）１１２２は光がターゲットに投影される前の最後の光学要素であるため、この新たな光学アセンブリは、カメラの視野が窓（またはコールドミラー）１１２２から反射されるように構成することによって、レーザーレーダーと同じ方向に同じ軸に沿って向けることができる広角カメラ１１４０を使用できるようにする。不明瞭化はわずかであり、レーザーレーダーの作動中にターゲットに形成されるスポットの大きさを大幅に増加させないだろう。
【０１１２】
したがって、上記の説明からわかるように、本実施形態は、レーザーレーダーシステム用の小型の光学アセンブリを提供する。光学アセンブリは、レーザーレーダーシステムと一体として移動しポインティングビーム及び測定ビームをレーザーレーダーシステムの出口へ伝達する反射屈折光学系を備え、レーザーレーダーシステムの他の部品に対して移動可能な走査（ポインティング）ミラーを不要にする。上記の説明を考慮すると、本実施形態の光学アセンブリを様々なタイプのレーザーレーダーシステムに実装できる方法が当業者にとって明らかであろう。
【０１１３】
＜本関連発明の第２実施形態＞
本関連発明の第２実施形態は、上記で図１２及び１３に関連して説明される基本原則に従って構成され作動するレーザーレーダーシステム１１００を備える。図１８ａ及び１８ｂから、本関連発明の第２実施形態に従う光学アセンブリ１１１４の基本的な特定の特徴が理解されるだろう。図１８ａの光学アセンブリは、ポインティングビーム及び測定ビームが方向づけられるファイバー１１３０で表される光源と、レンズ１１３２、走査反射器１１３４、及び固定反射器を含む。図１８ａにおいて固定反射器は平面鏡１１３６を含む。これらの要素は、ファイバー１１３０からのポインティングビーム及び測定ビームを視線１１３８に沿って方向づけ集光するために協働する。視線１１３８は光学アセンブリの光軸と一致しレンズ１１３２を通って延在することが好ましい。ファイバー１１３０、レンズ１１３２、走査反射器１１３４及び平面鏡は、ファイバー１１３０からのポインティングビーム及び測定ビームが走査反射器１１３４によって平面鏡１１３６へ反射され、平面鏡１１３６からの反射されたポインティングビーム及び測定ビームが再び走査反射器１１３４によって反射され、レンズ１１３２を通して視線１１３８に沿って方向づけられるように、互いに関連して方向づけられる。次いでポインティングビーム及び測定ビームはレーザーレーダーシステムからターゲット１１０６に方向づけられる。
【０１１４】
図１８ａの実施形態において、走査反射器１１３４はレトロリフレクターを含む。レトロリフレクターは好ましくは、光学アセンブリの支持構造に全て固定されるファイバー１１３０、レンズ１１３２及び平面鏡１１３６に対して（例えばＺ方向に）移動するコーナーキューブである。コーナーキューブ１１３４の移動により、ファイバーとレンズの間で測定ビームが進行する距離を変えることで、ポインティングビーム及び測定ビームの焦点を視線１１３８に沿って調節される。コーナーキューブ１１３４は、次のように方向づけられる少なくとも３つの反射面を有する。（ｉ）光源からのポインティングビーム及び測定ビームがコーナーキューブ１１３４を通して平面鏡１１３６へ反射される。（ｉｉ）平面鏡１１３６から反射されたポインティングビーム及び測定ビームが再びコーナーキューブ１１３４を通して反射される。（ｉｉｉ）少なくとも一つの所定の方向（例えば図１８ａのＺ方向）におけるコーナーキューブの動きによって、所定の方向を横切る方向におけるコーナーキューブの動きまたは所定の方向に対するコーナーキューブの回転に実質的に影響されない方法で、ポインティングビーム及び測定ビームの焦点が視線１１３８に沿って調節される。図１８ｂは図１８ａの光学アセンブリの断片的な概略図であり、コーナーキューブ１１３４及び平面鏡１１３６によりもたらされる反射の図式を示し、これは、ポインティングビーム及び測定ビームの反射が、Ｚ方向を横切る方向におけるコーナーキューブ１１３４の動きまたはＺ方向に対するコーナーキューブの回転に影響されないようにする。
【０１１５】
ファイバー１１３２は、可視（例えば赤色）波長範囲内のポインティングビームを異なる、例えば赤外（ＩＲ）の波長範囲内の測定ビームと結合するファイバービーム結合器を伴う。ポインティングビーム及び測定ビームは、別々の光源から発生させられ、当業者によく知られる方法で（基部１１１０内に設置される）ファイバービーム結合器によって結合される。結合されるポインティングビーム及び測定ビームはここに記載される方法で、ファイバー１１３０から方向づけられ、視線１１３８に沿って集光される。
【０１１６】
よって、図１８ａ及び１８ｂに示される本関連発明の第２実施形態のバージョンにおいて、ポインティングビーム及び測定ビームは視線１１３８に沿って方向づけられ、視線に沿ったポインティングビーム及び測定ビームの焦点は、一つの部品（つまり、コーナーキューブ１１３４）を移動することにより、Ｚ方向を横切る方向におけるコーナーキューブの動きまたはＺ方向に対するコーナーキューブの回転に反応しない（つまり、影響されない）方法で調節される。また、図１８ａ及び１８ｂの光学アセンブリは非常に小型であり、比較的少ない部品で構成されている。ある構成において、コーナーキューブ１１３４は、固定された素子（ファイバー、平面鏡及びレンズ）に対して約２２ｍｍ以下の距離にわたって移動することにより、ポインティングビーム及び測定ビームの焦点を調節することができ、そのことは光学アセンブリの小型化に寄与する。
【０１１７】
図１８ａ及び１８ｂの本関連発明の第２実施形態のバージョンにおいて、ポインティングビーム及び測定ビームは視線に沿って、レーザーレーダーシステムの出口１１２０へ方向づけられる。ポインティングビーム及び測定ビームは、測定ビームをレーザーレーダーシステムからターゲット１１０６上のスポットに方向づけ、そこで放射がターゲットから反射及び／又は散乱される。レーザーレーダーシステムの動作原理に従うと、光学アセンブリ１１１４は、ターゲット１１０６から反射または散乱される少なくともいくつかの放射を受光し、その放射は、当業者にとって明らかな方法で、戻ってファイバー１１３０を通るように方向づけられるであろう。
【０１１８】
ターゲット１１０６上に結像した測定ビームのスポットの大きさは、どれだけの光が光学アセンブリによって集められ得るかを決定する。より多くの光がターゲット上に集光する場合、より多くの光がターゲットによって反射又は散乱され、その反射または散乱された光の適当な一部分が光学アセンブリによって集められ、ファイバー１１３０に集光し戻され、これによりレーザーレーダーとターゲットの間の距離の正確な測定が可能となる。換言すると、米国特許第４,７３３,６０９号、第４，８２４,２５１号、第４,８３０，４８６号、第４,９６９，７３６号、第５,１１１４，２２６号、第７,１３９，４４６号、第７,９２５，１１３４号及び日本特許第２,６６４,３９９号に記載される技術を用いると、スポットがより小さいほど、より多くの測定光が光学アセンブリに戻り、より正確な距離測定が成なされる。
【０１１９】
図１８ａ及び１８ｂに示される本関連発明の第２実施形態のバージョンの光学アセンブリにおいて、コーナーキューブ１１３４に関連して固定される平面鏡１１３６の設備は、コーナーキューブを出た第１経路ビームを送り戻してコーナーキューブを通すが、システムは移動するコーナーキューブのＺ方向に対する傾斜に依然として反応しない。コーナーキューブ１１３４のＺ方向における横方向の移動は依然として第１経路にシフトを引き起こすが、しかし平面鏡１１３６がビームを反転し戻してコーナーキューブを通し、それが等価な反対のシフトを引き起こし、シフトが相殺される。コーナーキューブを通る経路の各々について、コーナーキューブの再帰反射特性は、コーナーキューブの向き、つまり傾斜又は回転に関わらず、出力ビームが入力ビームに平行であることを確実にする。したがって、図１８ａのシステムは名目上、コーナーキューブの傾斜及びｘ／ｙ方向の動きには反応しない。図１８ｂは、固定された平面鏡１１３６が、システムをどのようにコーナーキューブのｘ／ｙ方向の動きに反応しないようにするかを示す。
【０１２０】
さらに、レーザーレーダーシステムは２つの波長を用いており、またシステムは背面反射に敏感であるため、コーナーキューブ１１３４は、固体ガラスの従来のコーナーキューブよりもむしろ、３つのミラーの組（エアコーナーキューブ）であってもよい。そして、ビームの各々が表面鏡に入射する。したがって、レーザーレーダーの距離測定部品についてノイズフロア（noise floor)に寄与し得るゴースト像を形成し得る面は、光学パワー（optical power)をもたらすための２インチ（約５．０８ｃｍ）レンズ以外は存在しない。
【０１２１】
コーナーキューブ１１３４は、ビームによって２回横切られ、且つ反射されるため、ファイバー１１３０とレンズ１１３２の間の光路は、コーナーキューブの動きの４倍である；コーナーキューブの１ｍｍの動きはファイバーとレンズの間の距離を４ｍｍ変化させる。ファイバーの既知のＮＡ約０．１に基づき、且つ出口開口５０ｍｍに基づくと、固定レンズ１１３２の理想的な焦点距離は約２５０ｍｍであることがわかる。物体と像の関係についてのニュートン方程式に基づくと、必要な総焦点範囲は、近焦点位置（１メートル）と遠焦点位置（６０メートル）の間で約８８ｍｍである。これは、８８／４＝約２２ｍｍのコーナーキューブの移動に換算される。したがって唯一の必要なレンズは直径２インチ（約５．０８ｃｍ）の対物レンズ１１３２である。
【０１２２】
この光学アセンブリの他の大きな利点は、光路１１３８がコーナーキューブ１１３４を通して２回折り返されるため、非常に小型な容積の中に２５０ｍｍから（８８＋２５０）＝３３８ｍｍが収められることである。また長い焦点距離は、より短い折り返しのないシステムと比べて、レンズ１１３２の収差の要求が緩和されることも意味する。
【０１２３】
このシステムと透過光学系が移動するシステムとの主要な違いは、ファイバーがＺ位置の基準であるために、集光部品（コーナーキューブ１１３４）の動きがファイバー１１３０と最後のレンズ部品の間のＺ位置を変化させることである。したがって、システムは、この動きを簡単に補正するように十分正確にコーナーキューブの位置がわからなければならない。現在用いられているシステムパラメータは５μｍ＋１．２５ｐｐｍ／ｍの軸方向位置測定精度を有し、最低で１メートル焦点あたり６．２５μｍの軸方向位置精度を有する。これはステージ位置が最悪でも６．２５／４＝１．５６μｍの精度で測定されなければならないことを意味する。遠焦点（６０ｍ）において、ステージは８０／４＝２０μｍの精度で知られなければならないだけである。このシステムのすべての利点を考慮すると、これはささいなトレードオフであるように思われる。
【０１２４】
図１８ａのシステムについて、入力ファイバー１１３０は分岐する出力ビームのちょうど真ん中にある。システムが図１８ａのように造られる場合、ファイバー１１３０を保持する構造体が光を遮り、光の一部が戻って直接ファイバーに入射し、ノイズフロア（noise floor)をもたらす可能性がある。図１９ａ、１９ｂ及び１９ｃに示される代替システムは、この問題に対処する方法を提供する。
【０１２５】
図１９ａ、１９ｂ及び１９ｃに示される光学アセンブリ１１１４ａは本関連発明の第２実施形態の第２バージョンを提供し、測定ビーム及びポインティングビームの光源を提供するファイバー１１３０ａ、レンズ１１３２ａ、走査反射器１１３４ａ及び固定反射器１１３６ａを含む。走査反射器１１３４ａは、ポインティングビーム及び測定ビームを２回反射する反射ルーフを含み、固定反射器１１３６ａもポインティングビーム及び測定ビームを２回反射する反射ルーフを含む。また、反射ルーフ１１３４ａ及び１１３６ａのそれぞれの交線１１４０、１１４２は互いに相対して所定の方向に向けられている。
【０１２６】
図１９ａ、１９ｂ及び１９ｃに示される本関連発明のバージョンは、図１８ａ及び１８ｂのバージョンと全般的に同じ方法で作動する。反射ルーフ１１３４ａは、次のように方向づけられる一組の反射面を備える。（ｉ）光源からのポインティングビーム及び測定ビームが反射ルーフ１１３４ａを通して固定反射ルーフ１１３６ａへ反射され、固定反射ルーフ１１３６ａから反射されたポインティングビーム及び測定ビームが再び反射ルーフ１１３４ａを通して反射される。（ｉｉ）少なくとも一つの所定の方向（例えば図１９ａのＺ方向）における反射ルーフ１１３４ａの動きによって、ポインティングビーム及び測定ビームの焦点が視線１１３８ａに沿って調節される。図１９ｃは図１９ａ及び１９ｂの光学アセンブリの断片的な概略図であり、反射ルーフ１１３４ａ及び固定反射ルーフ１１３６ａによりもたらされる反射の図式を示す。よって、ポインティングビーム及び測定ビームは視線１１３８ａに沿って方向づけられ、視線１１３８ａに沿ったポインティングビーム及び測定ビームの焦点は、一つの部品（反射ルーフ１１３４ａ）を固定反射ルーフ１１３６ａ、レンズ１１３２ａ及びファイバー１１３０ａに対してＺ方向に移動することによって調節される。図１９ａ、１９ｂ及び１９ａの光学アセンブリは非常に小型であり、比較的少ない部品で構成されている。前のバージョンと同様に、反射ルーフ１１３４ａは、固定された素子（ファイバー１１３０ａ、固定反射ルーフ１１３６ａ及びレンズ１１３２ａ）に対して２２ｍｍ以下の距離にわたって移動することにより、ポインティングビーム及び測定ビームの焦点を調節することができ、そのことは光学アセンブリ１１１４ａの小型化に寄与する。
【０１２７】
図１９ａ、１９ｂ及び１９ｃの光学アセンブリは、分岐する出力ビームのちょうど真ん中に入力ファイバーがあり、その結果ファイバーを保持するための構造が光を遮り、光の一部が戻ってファイバーに直接入射し、ノイズフロア（noise floor)をもたらすだろうという問題に対処する。具体的には、コーナーキューブを移動させること及び固定ミラーを用いることの代わりに、光学アセンブリは２つの反射ルーフ１１３４ａ、１１３６ａに分けられる。反射ルーフ１１３４ａはコーナーキューブの代わりに移動し、反射ルーフ１１３６ａは固定され且つ反射ルーフ１１３４ａの移動に対して光学軸の周りを９０°回転する。この光学アセンブリは、一つの主要なさらなる利点と一つの不利益と共に、図１８ａのシステムと同じ利点を達成する。入力ファイバー１１３０からのポインティングビーム及び測定ビームは、動く反射ルーフ１１３４ａに向かい、反射ルーフ１１３４ａによって下へ移動される。次いでポインティングビーム及び測定ビームは、固定反射ルーフ１１３６ａに向かい、反射ルーフ１１３６ａはそれらのビームを図の手前から奥へずらす。次いでビームは、反射ルーフ１１３４ａを通して戻され、入力ファイバー１１３０ａに対して拡大され、しかし平行に外に出る。しかし、固定ルーフ１１３６ａのおかげで、ビームはファイバー１１３０に対して図１９ａ及び１９ｂのＹ方向に移動される。したがって、不明瞭化の問題も背面反射の問題もない。しかし、もし移動するルーフがＺ軸の周りを回転する場合は、この理想的な特性はもはや、必ずしも当てはまらないという不利益がある。
【０１２８】
もし反射ルーフ１１３４ａが移動中にＹ軸の周りを回転する場合、反射ルーフ１１３４ａは屋根のように作動し、角度は変化しない。もし反射ルーフ１１３４ａがＸ軸の周りを回転する場合、反射ルーフ１１３４ａは平面鏡のように振る舞うが、固定反射ルーフ１１３６ａがＺ軸の周りを９０°回転するため、固定反射ルーフ１１３６ａがこの角度変化を除去する。もし反射ルーフ１１３４ａがＸ方向にシフトする場合、それはビームをシフトさせるが、しかし、次いで固定反射ルーフ１１３６ａが（図１８ａのシステムにおけるように）ミラーのように振る舞い、反射ルーフ１１３４ａを通る第２経路がシフトを補正する。最後に、反射ルーフ１１３４ａがＹ方向にシフトする場合、それは平面鏡と同様であるため、ビームに変化は生じない。
【０１２９】
ファイバー１１３０ａと固定レンズ１１３２ａの間の軸方向距離を変化させるために、（反射ルーフ１１３４ａ、１１３６ａを形成する２つの屋根型プリズムの形の）一連の第１面鏡（表面鏡）が用いられる。このシステムは名目上、動く部品（反射ルーフ１１３４ａ）の傾斜及びｘｙ方向のシフトには反応しない。２つのルーフ型のシステムからの出力ビームは、入力ファイバー１１３０ａに対してシフトされているので、不明瞭化や背面反射の問題はない。さらに、すべての面が第１面鏡であるため、ゴースト反射を生じ得る界面がない。ビーム経路の折り返さられた性質は、機械的安定性を許容し（allowing for)、システムを非常に小型にする。システムの長い焦点距離は、固定反射ルーフ１１３６ａが既製の色補正ダブレットであることが好ましいこと意味する。
【０１３０】
図２０〜２４は、本関連発明の第２実施形態の光学アセンブリの部品を構成し方向づける様々なコンセプトを概略的に示す。
【０１３１】
例えば、図２０に示されるように、走査反射器１１３４によって反射され、レンズを通して視線１１３８に沿って方向づけられるポインティングビーム及び測定ビームは、レンズ１１３２を通して方向づけられるポインティングビーム及び測定ビームの視線１１３８を折り返す折り返しミラー１１４４によって反射される。さらに図２０に示されるように、ファイバー１１３０は折り返しミラー１１４４の中に設置することができる。
【０１３２】
本関連発明の光学アセンブリは、レンズ１１３２から１メートルから６０メートルの範囲で集光されるように設計される。図２０に示されるシステムがレンズから１メートルで集光される場合、より少ない光がターゲットに方向づけられるが、光損失はたった数パーセントである。コーナーキューブ１１３４が約２２ｍｍ動くことによって、光学アセンブリがレンズから６０メートルで集光される場合、ビームはレンズ１１３２の開口をほとんど満たし、よって実質的にすべての光が、ターゲットに衝突する（impinges on)スポットを形成するために用いられる。
【０１３３】
さらに、図２１に概略的に示されるように、レンズ１１３２、ビーム源（つまり、ファイバー１１３０）及び平面鏡１１３６は、それらがレトロリフレクター１１３４に対して一体として動くことができるような方法で支持され、その場合、視線がその一体とともに動く。よって、図２１に示されるように、レンズ１１３２、平面鏡及びファイバー１１３０はボックス１１４６によって支持される。そのため、それらの部品の全てがレトロリフレクター１１３４に対して一体として動くことができる。したがって、レトロリフレクター及び他の部品（ファイバー、レンズ、固定反射器）が互いに「対して、相対的に」移動可能であるということは、他の部品が支持構造体によって固定され、レトロリフレクターが支持構造体に対して動くこと、または、他の部品の支持構造体（例えは図２１のボックス１１４６）が、それらの他の部品がレトロリフレクター１１３４に対して一体として動く（例えば回転する）ことを可能にすることを指し得る。
【０１３４】
さらに、図２１にも示されるように、走査反射器１１３４によって反射され、レンズ１１３２を通して視線１１３８に沿って方向づけられるポインティングビーム及び測定ビームは、レンズを通して方向づけられるポインティングビーム及び測定ビームの視線１１３８を折り返す偏光ビームスプリッタプレート１１５０によって（図２０に示される方法と同様の方法で）反射される。図２１において、偏光ビームスプリッタプレート１１５０は、偏光ビームスプリッタプレート１１５０が偏光ビームスプリッタとして機能することを可能にする偏光ビームスプリット被膜を有し、平面鏡１１３６から反射されたビームの偏光を調節するために平面鏡１１３６に４分の１波長板１１４８が設けられる。図２１において、ビーム源である光ファイバー１１３０は、偏光ビームスプリッタプレート１１５０に対して所定の位置においてドットで（by a dot)表わされる。
【０１３５】
よって、図２１に示されるコンセプトにおいて、偏光ビームスプリッタ（ＰＢＳ）プレート１１５０は、視線に沿って方向づけられる光が結合してファイバー１１３０へ戻ることを防ぐために用いられる。測定ビームは直線偏光されているため、その偏光状態は、４分の１波長板（ＱＷＰ）１１４８を通過して４５度に２度方向づけられることにより９０度回転され得る。またこの場合、ＱＷＰ１１４８は、システムのミラー１１３６として図１８ａと関連して示され且つ記載される方法で振る舞う第２面鏡（裏面鏡）１１３６を備える。ファイバー１１３０はＰＢＳプレート１１５０の裏面近傍に設置される。ＰＢＳプレートであり、入力面がファイバーに対して４５度傾斜していることから、いかなる裏面反射もファイバーに戻らないだろう。コーナーキューブ１１３４は固体ガラスである。なぜなら固体ガラスは既製部品であり、ファイバーとレンズの間の軸方向距離（物理的距離）を増すためである。この光学アセンブリには不明瞭性はない。
【０１３６】
また、図２１に示されるコンセプトにおいて、コーナーキューブ１１３４は、固定保持され得、（すべてがボックス１１４６内に支持さる）平面鏡、折り返しミラー、レンズ及びファイバーは全てコーナーキューブの中心線を軸に回転する。回転はコーナーキューブの中心線を軸としなければならず、そうでないと回転中にビームがコーナーキューブの端の外に移動するだろう。本関連発明の第２実施形態のこのコンセプトは、仰角軸の回りを動く必要がある回転する質量を減らすことができ、そのため、より小型で軽量の仰角軸モーターを使用でき、さらに結果として発熱が少なくなる（熱源は部品を動かすために使用されるアクチュエーターである）。また、それによってさらにより小型のアセンブリとなってもよい。また、それは集光ステージの複雑さの低減にもつながり得、回転接合部を通過する必要があるケーブルがより少なくなり得る。それによりケーブルの経路設定がより単純になり、ケーブルが動くことによって引き起こされるケーブルの阻害を減少させることができ、動きの正確性が向上し、それゆえに機器の性能が向上する。それゆえ、図２１のコンセプトのこの側面は、より小型でより単純なコスト効率のよりよい光学アセンブリを作り出すことができ、また、ケーブルの阻害の減少により正確性が向上する。
【０１３７】
さらに、図２２に概略的に示されるように、光源は、平面鏡として機能する部分１１３６ｂと走査反射器１１３４によって反射され且つレンズ１１３２を通して視線に沿って方向づけられるポインティングビーム及び測定ビームの視線１１３８を折り返す別の部分１１５４を有するモノリシック部材１１５２によって支持される光ファイバー１１３０を含む。
【０１３８】
また、図２３に概略的に示されるように、光源は、平面鏡を形成する反射部１１３６ｃを表面に有する透過部材（例えばガラス窓１１６０）に支持される光ファイバー１１３０を含み得る。さらに、光ファイバーは、出願人が「スパイダー」と称する、図２４に示される、機械構造体１１６２によって支持され得る。機械構造体１１６２は、光ファイバーの支持体を形成する中央開口１１６６を有する一連の支柱１１６４含む。スパイダー１１６２はアルミニウムのような軽量の金属で形成することができる。それゆえ、光学アセンブリは、（図２３に示されるように、）ファイバー用の孔及びミラー１１３６ｃのような銀色の領域を有するガラス板１１６０を含み得る。又は、光学アセンブリは、（図２４のような）ファイバーを保持し光を透過させるためのスパイダーを有する金属板と、スパイダーに取り付けられて反射領域１１３６ｃを形成する、機械加工及び研磨された別の鏡面を備え得る。したがって、図２３においてファイバーを支持する透過部材１１６０はガラス部品であり、図２４において透過部材はスパイダー１１６２の機械的構成物の間の空間であるということを除いては、図２３及び２４は同様である。
【０１３９】
図２２、２３及び２４に示されるコンセプトは、本関連発明の第２実施形態に従う光学アセンブリにさらなる有利な特徴をもたらす。例えば、図２２のコンセプトは、両方のミラーとして及びファイバーの保持のために一つの基板を用いる。これはより単純な構成をもたらし、一つの基板が比較的軽量なアルミニウムで形成されてもよいことになる。図２３及び２４のコンセプトに関しては、折り返しミラーを窓、又は窓／スパイダー構成で代替することで、折り返しミラーの重量が除外されるため、光学アセンブリの全体の重量を減少させることができる。また、図２３及び２４のコンセプトは、表面形状及びミラー角度位置についてのさらなる許容誤差の要件を減少させることができる。結果として、ここではコーナーキューブはレンズの光学軸に対して垂直に動くよりもむしろ平行に動く。ゆえに、光学アセンブリはミラーが一つ少ないため、光学アセンブリはより単純化され、ミラーの間の角度は適合すべき仕様が一つ少ない。さらに、表面に垂直にカッティングするときに（もし図２２のモノリシック金属ミラーのコンセプトを用いる場合は問題ではないが）、ファイバーの孔とミラー表面の間の角度がより直接的に制御可能である。また、製造中にレンズに対するファイバーの軸の位置を、（例えば両方の部品をチューブ内に保持することによって）より簡単に維持でき、それによってビームが開口の中心に置かれていないために起こる焦点ずれの（反復可能な）照準エラーが減少する。さらに、ファイバーの孔がレンズの光軸と平行であるため、それら二つを整列し熱的照準エラーを大きく減少させることがより容易である。さらに、コーナーキューブをファイバーにより近づけることができ、そしてより小型になり得る。
【０１４０】
したがって、上記の説明からわかるように、本関連発明の第２実施形態は、レーザーレーダーシステム用の小型の光学アセンブリを提供する。光学アセンブリは、光源、レンズ、走査反射器、及び固定反射器を含み、これらは、レンズを通って延在する視線に沿って光源からのビームを集光するために協働する。光源、レンズ、走査反射器、及び固定反射器は、（ｉ）光源からのビームが走査反射器によって固定反射器へ反射され、（ｉｉ）固定反射器から反射された光が再び走査反射器によって反射され、レンズを通して視線に沿って方向づけられ、（ｉｉｉ）ビームの焦点を視線に沿って調節するために、走査反射器が、光源、レンズ及び固定反射器に対して移動可能であるように、互いに対して相対的に（relative to)方向づけられる。
【０１４１】
この本関連発明の実施形態において、レーザーレーダーシステム１１００はポインティングビーム及び測定ビームを有する。しかしレーザーレーダーシステム１１００は測定ビームを有し、ポインティングビームを有さなくてもよい。測定ビームは例えば可視である。ゆえにこの場合では、測定ビームがポインティングビームの役割をし得る。この本関連発明の実施形態のレーザーレーダーシステム１１００は、ポインティングビームと測定ビームの間で異なる波長領域を有する。しかしレーザーレーダーシステム１１００は、例えば可視領域などの同じ波長領域を有してもよい。
【０１４２】
随意の本関連発明の実施形態において、光学アセンブリはレンズ１１３２、走査反射器１１３４及び固定反射器を備える。しかし、光学アセンブリはレンズ１１３２と走査反射器１１３４を有し固定反射器を有さなくてもよい。例えば、測定ビームを反射器１１３４からレンズ１１３２へ直接方向づけることができる。
【０１４３】
また、レーザーレーダーシステム１１００に関して、本関連発明の第２実施形態は、反射器又は反射器が配置される物体の６自由度（α、β、ｄ、φ、χ、ψ）を測定し、且つ、例えば米国特許出願公開第２００６−０２２２３１４号（ここに援用し本文の記載の一部とする）に開示されるレーザートラッカーのような角度及び距離測定装置を含む、距離測定システムに適用することができる。また、レーザーレーダーシステム１１００に関して、本関連発明は、放射されるレーザー光と反射されるレーザー光を比較することによって測定システムとターゲット位置の間の距離及び／またはこの距離の変化を測定する距離測定システム、例えば米国特許出願公開第２０１１０１８１８７２号（ここに援用し本文の記載の一部とする）に開示されるようなレーザートラッカーに適用することができる。
【０１４４】
次に、上記の測定装置(レーザーレーダーシステム１１００)を備える構造体製造システムに関して説明する。
【０１４５】
図２５は構造体製造システム１７００のブロック図である。構造体製造システムは、少なくとも一つの材料から、例えば船、航空機などの少なくとも（at least a
structure）一つの構造体を製造し、構造体を形状測定装置１１００によって検査するためのものである。本関連発明の実施形態の構造体製造システム１７００は、実施形態において上に説明するように形状測定装置１１００を含み、さらに設計装置１６１０、成形装置１６２０、制御装置１６３０（検査装置）及びリペア装置１６４０を含む。制御装置１６３０は、座標保管部１６３１及び検査部１６３２を含む。
【０１４６】
設計装置１６１０は、構造体の形状に関して設計情報を作成し、作成した設計情報を成形装置１６２０へ送信する。さらに、設計装置１６１０は、作成した設計情報を制御装置１６３０の座標保管部１６３１に保管させる。設計情報は、構造体の位置の各々の座標を示す情報を含む。
【０１４７】
成形装置１６２０は、設計装置１６１０から入力された設計情報に基づいて構造体を製造する。成形装置１６２０による成形工程は、例えば、鋳造、鍛造、切削などを含む。形状測定装置１１００は製造された構造体の座標を測定（物体を測定）し、測定した座標を示す情報（形状情報）を制御装置１６３０に送る。
【０１４８】
制御装置１６３０の座標保管部１６３１は、設計情報を保管する。制御装置１６３０の検査部１６３２は、座標保管部１６３１から設計情報を読み出す。検査部１６３２は、形状測定装置１１００から受信した座標を示す情報（形状情報）を座標保管部１６３１から読みだされた設計情報と比較する。比較結果に基づき、検査部１６３２は、構造体が設計情報に従って成形されているかどうかを判定する。換言すると、検査部１６３２は、製造された構造体に欠陥がないかどうかを判定する。構造体が設計情報に従って成形されていない場合、検査部１６３２は、構造体が修復可能かどうかを判断する。もし修復可能な場合は、検査部１６３２は、比較結果に基づいて欠陥部分及び修復量を計算し、欠陥部分を示す情報及び修復量を示す情報をリペア装置１６４０に送信する。
【０１４９】
リペア装置１６４０は、制御装置１６３０から受信した欠陥部分を示す情報及び修復量を示す情報に基づき、構造体の欠陥部分の処理を行う。
【０１５０】
図２６は、構造体製造システム１７００のプロセスフローを示すフローチャートである。構造体製造システム１７００に関して、まず、設計装置１６１０が、構造体の形状に関して設計情報を作成する（Ｓ１１０１工程）。次に、成形装置１６２０が、設計情報に基づいて構造体を製造する（Ｓ１１０２工程）。次いで、形状測定装置１１００が、製造された構造体を測定してその形状情報を得る（Ｓ１１０３工程）。次いで、制御装置１６３０の検査部１６３２が、形状測定装置１１００から得られる形状情報を設計情報と比較することによって、構造体が真に設計情報に従って製造されているかどうか検査する（Ｓ１１０４工程）。
【０１５１】
ついで、制御装置１６３０の検査部１６３２が、製造された構造体に欠陥がないかどうかを判定する（Ｓ１１０５工程）。製造された構造体に欠陥がないと検査部１６３２が判定した場合（Ｓ１１０５工程における「ＹＥＳ」）、構造体製造システム１７００はプロセスを終了する。一方、製造された構造体に欠陥があると検査部１６３２が判定した場合（Ｓ１１０５工程における「ＮＯ」）、次いで検査部１６３２は、構造体が修復可能かどうかを判断する（Ｓ１１０６工程）。
【０１５２】
検査部１６３２が製造された構造体が修復可能であると判断した場合（Ｓ１１０６工程の「ＹＥＳ」）、次いでリペア装置１６４０が構造体に対して再処理プロセスを実行し（Ｓ１１０７工程）、構造体製造システム１７００はプロセスをＳ１１０３工程に戻す。検査部１６３２が製造された構造体が修復不可能であると判断した場合（Ｓ１１０６工程の「ＮＯ」）、次いで構造体製造システム１７００はプロセスを終了する。そうして、構造体製造システム１７００は、図２６のフローチャートに示される全プロセスを終了する。
【０１５３】
本関連発明の実施形態の構造体製造システム１７００に関して、本関連発明の実施形態の形状測定装置１１００は構造体の座標を正確に測定することができるため、製造された構造体に欠陥がないかどうかを判断することができる。さらに、構造体に欠陥がある場合、構造体製造システム１７００は構造体に対して再処理プロセスを実行して同様に修復することができる。
【０１５４】
さらに、本関連発明の実施形態においてリペア装置１６４０によって実行される修復工程は、例えば成形装置１６２０に成形工程をもう一度行わせることと置き換えられてもよい。このような場合において、制御装置１６３０の検査部１６３２が構造体は修復可能と判断した場合、次いで成形装置１６２０は成形工程（鍛造、切削など）(forging  cutting,  and  the  like)をもう一度実行する。例えば具体的には、成形装置１６２０は、切削を受けるべきであったが受けなかった構造体の部分に切削工程を実行する。これによって、構造体製造システム１７００が構造体を正確に製造することができるようになる。
【０１５５】
上記の本関連発明の実施形態において、構造体製造システム１７００は、形状測定装置１１００、設計装置１６１０、成形装置１６２０、制御装置１６３０（検査装置）及びリペア装置１６４０を含む。しかし、本教示はこの構成に限定されない。例えば、本教示に従う構造体製造システムは、少なくとも成形装置及び形状測定装置を含めばよい。
【０１５６】
よって、本関連発明は装置、光学アセンブリ、物体の検査方法又は測定方法、及び構造体を製造する方法について、新規で役に立つコンセプトを提供する。前述の説明を考慮すると、それらのコンセプト（例えば本実施形態の光学アセンブリ）を様々なタイプのレーザーレーダーシステムや他のタイプの光学システム及び方法に実施することができる方法が、当業者にとって明らかであるだろう。
【図１】
0006040992.tif 000002
【図２】
0006040992.tif 000003
【図３】
0006040992.tif 000004
【図４】
0006040992.tif 000005
【図５】
0006040992.tif 000006
【図６】
0006040992.tif 000007
【図７】
0006040992.tif 000008
【図８】
0006040992.tif 000009
【図９】
0006040992.tif 000010
【図１０】
0006040992.tif 000011
【図１１】
0006040992.tif 000012
【図１２】
0006040992.tif 000013
【図１３】
0006040992.tif 000014
【図１４ａ】
0006040992.tif 000015
【図１４ｂ】
0006040992.tif 000016
【図１４ｃ】
0006040992.tif 000017
【図１５】
0006040992.tif 000018
【図１６ａ】
0006040992.tif 000019
【図１６ｂ】
0006040992.tif 000020
【図１６ｃ】
0006040992.tif 000021
【図１６ｄ】
0006040992.tif 000022
【図１６ｅ】
0006040992.tif 000023
【図１７】
0006040992.tif 000024
【図１８】
0006040992.tif 000025
【図１９】
0006040992.tif 000026
【図２０】
0006040992.tif 000027
【図２１】
0006040992.tif 000028
【図２２】
0006040992.tif 000029
【図２３】
0006040992.tif 000030
【図２４】
0006040992.tif 000031
【図２５】
0006040992.tif 000032
【図２６】
0006040992.tif 000033